(57)【要約】（Ａ）成分：特定のα−スルホ脂肪酸アルキルエステル塩と、（Ｂ）成分：前記（Ａ）成分以外のアニオン界面活性剤と、（Ｃ）成分：ベタイン型両性界面活性剤と、を含有する、液体洗浄剤。【特許請求の範囲】
【請求項１】
（Ａ）成分：下記一般式（Ａ１）で表され、かつ、下記一般式（Ａ２）で表されるα−スルホ脂肪酸アルキルエステル塩を、α−スルホ脂肪酸アルキルエステル塩の総質量に対し、３０質量％以上含有するα−スルホ脂肪酸アルキルエステル塩と、
（Ｂ）成分：前記（Ａ）成分以外のアニオン界面活性剤と、
（Ｃ）成分：ベタイン型両性界面活性剤と、を含有する、液体洗浄剤。
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。］
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。］
【請求項２】
前記（Ａ）成分／前記（Ｃ）成分で表される質量比が０．５〜８であり、
前記（Ａ）成分と前記（Ｃ）成分との合計含有量が１０質量％以下である、請求項１に記載の液体洗浄剤。
【請求項３】
前記（Ａ）成分／（前記（Ａ）成分＋前記（Ｂ）成分）で表される質量比が０．１０〜０．５０である、請求項１又は２に記載の液体洗浄剤。
【請求項４】
前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、請求項１〜３のいずれか一項に記載の液体洗浄剤。
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。
【請求項５】
前記（Ｂ）成分が、前記（ｂ１）成分及び前記（ｂ２）成分を含有し、前記（ｂ１）成分／前記（ｂ２）成分で表される質量比が０．６〜１．５である、請求項４に記載の液体洗浄剤。
【請求項６】
さらに（Ｄ）成分：水溶性無機塩と、を含有し、
前記（Ａ）〜（Ｃ）成分の合計含有量が１０質量％以上であり、
２５℃におけるｐＨが３〜６であり、かつ、２５℃における粘度が１０００ｍＰａ・ｓ以上である、請求項１に記載の液体洗浄剤。
【請求項７】
前記（Ａ）成分／前記（Ｃ）成分で表される質量比が０．５〜８である、請求項６に記載の液体洗浄剤。
【請求項８】
前記（Ｃ）成分がアルキル（アルケニル）アミドベタイン型両性界面活性剤である、請求項６又は７に記載の液体洗浄剤。
【請求項９】
前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、請求項６〜８のいずれか一項に記載の液体洗浄剤。
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。
【請求項１０】
さらに（Ｄ）成分：水溶性無機塩と、
（Ｅ）成分：下記一般式（Ｅ１）で表される化合物及び下記一般式（Ｅ２）で表される化合物から選ばれる１種以上と、
（Ｆ）成分：水溶性色素と、
を含有する請求項１に記載の液体洗浄剤。
ＨＯ（ＣＨ２ＣＨ（ＯＨ）ＣＨ２Ｏ）ｓＨ    ・・・（Ｅ１）
［式（Ｅ１）中、ｓは、１〜１０の数である。］
ＨＯ（ＣＨ２ＣＨ２Ｏ）ｔＨ    ・・・（Ｅ２）
［式（Ｅ２）中、ｔは、１〜２５の数である。］
【請求項１１】
前記（Ｅ）成分／前記（Ａ）成分で表される質量比は、０．５〜１０である、請求項１０に記載の液体洗浄剤。
【請求項１２】
前記（Ａ）成分／前記（Ｃ）成分で表される質量比は、０．５〜８である、請求項１０又は１１に記載の液体洗浄剤。
【請求項１３】
さらに（Ｇ）成分を含有する液体洗浄剤であって、
前記（Ｇ）成分がヒドロキシ酸、ヒドロキシ酸塩、芳香族カルボン酸、及び芳香族カルボン酸塩からなる群から選択される少なくとも一種の化合物であり、
ｐＨが３．０〜５．５であり、
前記（Ｇ）成分の含有量が、液体洗浄剤の総質量に対し、０．５〜７．０質量％である請求項１に記載の液体洗浄剤。
【請求項１４】
前記（Ａ）成分と前記（Ｃ）成分との質量比が、（Ａ）成分／（Ｃ）成分で表して、０．５〜８である、請求項１３に記載の液体洗浄剤。
【請求項１５】
前記（Ｇ）成分と、前記（Ａ）成分、前記（Ｂ）成分、及び前記（Ｃ）成分の合計とで表される質量比が、（Ｇ）成分／［（Ａ）成分＋（Ｂ）成分＋（Ｃ）成分］で表して、０．０３〜０．５である、請求項１３又は１４に記載の液体洗浄剤。
【発明の詳細な説明】
【技術分野】
【０００１】
本発明は、液体洗浄剤に関する。
本願は、２０１５年１０月１９日に、日本に出願された特願２０１５−２０５４６５号、２０１５年１０月１９日に、日本に出願された特願２０１５−２０５４６６号、２０１５年１０月１９日に、日本に出願された特願２０１５−２０５４６７号、及び２０１５年１２月２８日に、日本に出願された特願２０１５−２５６６２７号に基づき優先権を主張し、その内容をここに援用する。
【背景技術】
【０００２】
台所用品である食器等を洗浄する方法としては、スポンジ等の洗浄具に液体洗浄剤を取り、洗浄具で洗浄対象を擦り洗いする方法（非浸漬法）が行われる場合や、液体洗浄剤を水に分散して洗浄液とし、この洗浄液に洗浄対象を浸漬しながらスポンジ等の洗浄具で擦り洗いする方法（浸漬法）が行われる場合とがある。
そのため、液体洗浄剤には、非浸漬法と浸漬法の両方の洗浄方法において、充分な洗浄力を有することが求められる。【０００３】
例えば非浸漬法において良好な洗浄力が得られる液体洗浄剤であっても、水に希釈した際の分散性が充分でない（即ち、希釈分散性が劣る）と、浸漬法において良好な洗浄力が得られない場合がある。即ち、浸漬法においては、水を入れた容器に液体洗浄剤を入れて、前記洗浄剤を希釈した洗浄液を調製し、この洗浄液をスポンジ等の洗浄具にしみ込ませて食器等を洗浄する。この際、液体洗浄剤の水への分散性が充分でないと、洗浄剤が容器の底面等で溶け残り、前記洗浄剤の濃度が低い洗浄液で食器等の洗浄を行うことになる。これにより、浸漬法において、食器等に対する洗浄力が充分に得られなくなる。そのため高粘度でありながら水分散性の高い洗浄剤が求められている。
さらに、衛生面から、スポンジ等の洗浄具に対する除菌活性の高い洗浄剤が求められている。
特許文献１には、界面活性剤を３０〜５０重量％の範囲で含有する液体洗浄剤組成物であって、上記界面活性剤の少なくとも５０重量％以上がノニオン性界面活性剤であり、かつ、前記ノニオン性界面活性剤の少なくとも３５重量％以上が特定のアルカノールアミドである、食器等に対する洗浄力に優れる液体洗浄剤組成物が開示されている。
しかしながら、特許文献１では、液体洗浄剤組成物を水に希釈した際の分散性について考慮されていなかった。【０００４】
また、食器用等の液体洗浄剤としては、高粘度（例えば１０００ｍＰａ・ｓ以上）の液体洗浄剤が好まれる場合がある。
これは、高粘度であることが液体洗浄剤の洗浄力の高さをイメージさせるためである。
粘度が高められた液体洗浄剤としては、少なくとも１つのハイドロトロピック界面活性剤と、少なくとも１つのアルキルベタイン又はスルタインと、特定量の電解質と、水と、他の界面活性剤又は添加物とを含み、特定の粘度を有する粘性液体洗浄組成物が提案されている（例えば、特許文献２）。
しかしながら、特許文献２では、水分散性、除菌活性について考慮されていない。
【先行技術文献】
【特許文献】
【０００５】
【特許文献１】特開平１１−８０７８５号公報
【特許文献２】特表２０１３−５０８５１１号公報
【発明の概要】
【発明が解決しようとする課題】
【０００６】
ところで、液体洗浄剤は色素によって着色されていることが多い。
液体洗浄剤は、着色されていることで洗浄力や除菌能力の高さが想起され、商品価値の向上が図られている。
加えて、浸漬法で洗浄対象物を洗浄する場合、液体洗浄剤が着色されていると、使用者は、洗浄液の色調に基づいて、洗浄剤中の液体洗浄剤量を調整しやすい。
しかしながら、高粘度でかつ着色された液体洗浄剤は、洗浄液を貯留する容器（例えば、タライ、シンク等）、洗浄対象物、洗浄具等（以下、総じて、洗浄対象物等ということがある）に滞留しやすくなる。
このため、洗浄対象物等は、液体洗浄剤中の色素によって着色されやすくなる。
本発明は上記事情に鑑みてなされたものであり、本発明の第一の態様は、洗浄力に優れ、かつ、希釈分散性に優れる液体洗浄剤を目的とする。
本発明の第二の態様は、洗浄力及び希釈分散性に優れ、かつ、粘度が高められた液体洗浄剤を目的とする。
本発明の第三の態様は、粘度を高めても、洗浄対象物等が着色されにくい液体洗浄剤を目的とする。
本発明の第四の態様は、高粘度でありながら水分散性に優れ、洗浄力、及び除菌活性にも優れる液体洗浄剤を目的とする。
【課題を解決するための手段】
【０００７】
本発明者らは、鋭意検討した結果、以下の液体洗浄剤が、上記課題を解決できることを見出した。
本発明は以下の態様を有する。
［１］（Ａ）成分：下記一般式（Ａ１）で表され、かつ、下記一般式（Ａ２）で表されるα−スルホ脂肪酸アルキルエステル塩を、α−スルホ脂肪酸アルキルエステル塩の総質量に対し、３０質量％以上含有するα−スルホ脂肪酸アルキルエステル塩と、
（Ｂ）成分：前記（Ａ）成分以外のアニオン界面活性剤と、
（Ｃ）成分：ベタイン型両性界面活性剤と、を含有する、液体洗浄剤。
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。］
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。］
［２］前記（Ａ）成分／前記（Ｃ）成分で表される質量比が０．５〜８であり、
前記（Ａ）成分と前記（Ｃ）成分との合計含有量が、液体洗浄剤の総質量に対し、１０質量％以下である、［１］に記載の液体洗浄剤。
［３］前記（Ａ）成分／（前記（Ａ）成分＋前記（Ｂ）成分）で表される質量比が０．１０〜０．５０である、［１］又は［２］に記載の液体洗浄剤。
［４］前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、［１］〜［３］のいずれか一項に記載の液体洗浄剤。
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。
［５］前記（Ｂ）成分が、前記（ｂ１）成分及び前記（ｂ２）成分を含有し、前記（ｂ１）成分／前記（ｂ２）成分で表される質量比が０．６〜１．５である、［４］に記載の液体洗浄剤。
［６］さらに（Ｄ）成分：水溶性無機塩と、を含有し、
前記（Ａ）〜（Ｃ）成分の合計含有量が１０質量％以上であり、
２５℃におけるｐＨが３〜６であり、かつ、２５℃における粘度が１０００ｍＰａ・ｓ以上である、［１］に記載の液体洗浄剤。
［７］前記（Ａ）成分／前記（Ｃ）成分で表される質量比が０．５〜８である、［６］に記載の液体洗浄剤。
［８］前記（Ｃ）成分がアルキル（アルケニル）アミドベタイン型両性界面活性剤である、［６］又は［７］に記載の液体洗浄剤。
［９］前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、［６］〜［８］のいずれか一項に記載の液体洗浄剤。
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。
［１０］さらに（Ｄ）成分：水溶性無機塩と、
（Ｅ）成分：下記一般式（Ｅ１）で表される化合物及び下記一般式（Ｅ２）で表される化合物から選ばれる１種以上と、
（Ｆ）成分：水溶性色素と、
を含有する［１］に記載の液体洗浄剤。
ＨＯ（ＣＨ２ＣＨ（ＯＨ）ＣＨ２Ｏ）ｓＨ    ・・・（Ｅ１）
［式（Ｅ１）中、ｓは、１〜１０の数である。］
ＨＯ（ＣＨ２ＣＨ２Ｏ）ｔＨ    ・・・（Ｅ２）
［式（Ｅ２）中、ｔは、１〜２５の数である。］
［１１］前記（Ｅ）成分／前記（Ａ）成分で表される質量比は、０．５〜１０である、［１０］に記載の液体洗浄剤。
［１２］前記（Ａ）成分／前記（Ｃ）成分で表される質量比は、０．５〜８である、［１０］又は［１１］に記載の液体洗浄剤。
［１３］さらに（Ｇ）成分を含有する液体洗浄剤であって、
前記（Ｇ）成分がヒドロキシ酸、ヒドロキシ酸塩、芳香族カルボン酸、及び芳香族カルボン酸塩からなる群から選択される少なくとも一種の化合物であり、
ｐＨが３．０〜５．５であり、
前記（Ｇ）成分の含有量が、液体洗浄剤の総質量に対し、０．５〜７．０質量％である［１］に記載の液体洗浄剤。
［１４］前記（Ａ）成分と前記（Ｃ）成分との質量比が、（Ａ）成分／（Ｃ）成分で表して、０．５〜８である、［１３］に記載の液体洗浄剤。
［１５］前記（Ｇ）成分と、前記（Ａ）成分、前記（Ｂ）成分、及び前記（Ｃ）成分の合計とで表される質量比が、（Ｇ）成分／［（Ａ）成分＋（Ｂ）成分＋（Ｃ）成分］で表して、０．０３〜０．５である、［１３］又は［１４］に記載の液体洗浄剤。【０００８】
すなわち本発明の第一の態様は、以下の構成を有する。
［１］（Ａ）成分：下記一般式（Ａ１）で表され、かつ、下記一般式（Ａ２）で表されるα−スルホ脂肪酸アルキルエステル塩を、α−スルホ脂肪酸アルキルエステル塩の総質量に対し、３０質量％以上含有するα−スルホ脂肪酸アルキルエステル塩と、（Ｂ）成分：前記（Ａ）成分以外のアニオン界面活性剤と、（Ｃ）成分：ベタイン型両性界面活性剤と、を含有し、前記（Ａ）成分／前記（Ｃ）成分で表される質量比が０．５〜８であり、前記（Ａ）成分と前記（Ｃ）成分との合計含有量が１０質量％以下である、液体洗浄剤。
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。］
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。］
［２］前記（Ａ）成分／（前記（Ａ）成分＋前記（Ｂ）成分）で表される質量比が０．１０〜０．５０である、［１］に記載の液体洗浄剤。
［３］前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、［１］又は［２］に記載の液体洗浄剤。
Ｒ２１Ｏ（ＰＯ）ｍ（ＥＯ）ｎＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。
［４］前記（Ｂ）成分が、前記（ｂ１）成分及び前記（ｂ２）成分を含有し、前記（ｂ１）成分／前記（ｂ２）成分で表される質量比が０．６〜１．５である、［３］に記載の液体洗浄剤。【０００９】
本発明の第二の態様は、以下の構成を有する。
［１］（Ａ）成分：下記一般式（Ａ１）で表され、かつ、下記一般式（Ａ２）で表されるα−スルホ脂肪酸アルキルエステル塩を、α−スルホ脂肪酸アルキルエステル塩の総質量に対し、３０質量％以上含有するα−スルホ脂肪酸アルキルエステル塩と、（Ｂ）成分：前記（Ａ）成分以外のアニオン界面活性剤と、（Ｃ）成分：ベタイン型両性界面活性剤と、（Ｄ）成分：水溶性無機塩と、を含有し、前記（Ａ）〜（Ｃ）成分の合計含有量が１０質量％以上であり、２５℃におけるｐＨが３〜６であり、かつ、２５℃における粘度が１０００ｍＰａ・ｓ以上である、液体洗浄剤。
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。］
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。］
［２］前記（Ａ）成分／前記（Ｃ）成分で表される質量比が０．５〜８である、［１］に記載の液体洗浄剤。
［３］前記（Ｃ）成分がアルキル（アルケニル）アミドベタイン型両性界面活性剤である、［１］又は［２］に記載の液体洗浄剤。
［４］前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、［１］〜［３］のいずれか一項に記載の液体洗浄剤。
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。【００１０】
本発明の第三の態様は、以下の態様を有する。
［１］（Ａ）成分：下記一般式（Ａ１）で表され、かつ、下記一般式（Ａ２）で表されるα−スルホ脂肪酸アルキルエステル塩を含有するα−スルホ脂肪酸アルキルエステル塩と、（Ｂ）成分：前記（Ａ）成分以外のアニオン界面活性剤と、（Ｃ）成分：ベタイン型両性界面活性剤と、（Ｄ）成分：水溶性無機塩と、（Ｅ）成分：下記一般式（Ｅ１）で表される化合物及び下記一般式（Ｅ２）で表される化合物から選ばれる１種以上と、（Ｆ）成分：水溶性色素と、を含有する液体洗浄剤。
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。］
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。］
ＨＯ（ＣＨ２ＣＨ（ＯＨ）ＣＨ２Ｏ）ｓＨ    ・・・（Ｅ１）
［式（Ｅ１）中、ｓは、１〜１０の数である。］
ＨＯ（ＣＨ２ＣＨ２Ｏ）ｔＨ    ・・・（Ｅ２）
［式（Ｅ２）中、ｔは、１〜２５の数である。］
［２］前記（Ｅ）成分／前記（Ａ）成分で表される質量比は、０．５〜１０である、［１］に記載の液体洗浄剤。
［３］（Ａ）成分／前記（Ｃ）成分で表される質量比は、０．５〜８である、［１］又は［２］に記載の液体洗浄剤。【００１１】
［４］２５℃における粘度が１０００ｍＰａ・ｓ以上である、［１］〜［３］のいずれか一項に記載の液体洗浄剤。
［５］前記（Ａ）成分中の（ａ２）成分の含有量が９０質量％である、［１］〜［４］のいずれか一項に記載の液体洗浄剤。
［６］（Ｃ）成分がアルキル（アルケニル）アミドベタイン型両性界面活性剤である［１］〜［５］のいずれか一項に記載の液体洗浄剤。
［７］界面活性剤総量に対する（Ａ）成分の含有量が２．５〜３５質量％である、［１］〜［６］のいずれか一項に記載の液体洗浄剤。
［８］界面活性剤総量に対する（Ｃ）成分の含有量が２〜２２質量％である、［１］〜［７］のいずれか一項に記載の液体洗浄剤。【００１２】
本発明の第四の態様における液体洗浄剤は、以下の態様を有する。
［１］（Ａ）成分、（Ｂ）成分、（Ｃ）成分、及び（Ｇ）成分を含有する液体洗浄剤であって、
前記（Ａ）成分が下記一般式（Ａ１）で示されるα−スルホ脂肪酸アルキルエステル塩であり、かつ下記一般式（Ａ２）で表されるα−スルホ脂肪酸アルキルエステル塩を、（Ａ）成分の総質量に対し、３０質量％以上含有するα−スルホ脂肪酸アルキルエステル塩であり、
前記（Ｂ）成分が前記（Ａ）成分以外のアニオン界面活性剤であり、
前記（Ｃ）成分がベタイン型両性界面活性剤であり、
前記（Ｇ）成分がヒドロキシ酸、ヒドロキシ酸塩、芳香族カルボン酸、及び芳香族カルボン酸塩からなる群から選択される少なくとも一種の化合物であり、
ｐＨが３．０〜５．５であり、
前記（Ｇ）成分の含有量が、液体洗浄剤の総質量に対し、０．５〜７．０質量％である液体洗浄剤。
【化１】
2017069017.tif 000002
式（Ａ１）中、Ｒ１は炭素数１０〜１８の直鎖又は分岐鎖の炭化水素基であり、Ｒ２は炭素数１〜３の直鎖又は分岐鎖のアルキル基であり、Ｍは対イオンを表し、ＸはＭの価数を表す。
【化２】
2017069017.tif 000003
式（Ａ２）中、Ｒ３は炭素数１４〜１６の直鎖又は分岐鎖の炭化水素基であり、Ｒ４は炭素数１〜３の直鎖又は分岐鎖のアルキル基であり、Ｍは対イオンを表し、ＸはＭの価数を表す。
［２］前記（Ａ）成分と前記（Ｃ）成分との質量比が、（Ａ）成分／（Ｃ）成分で表して、０．５〜８である、［１］に記載の液体洗浄剤。
［３］前記（Ｇ）成分と、前記（Ａ）成分、前記（Ｂ）成分、及び前記（Ｃ）成分の合計とで表される質量比が、（Ｇ）成分／［（Ａ）成分＋（Ｂ）成分＋（Ｃ）成分］で表して、０．０３〜０．５である、［１］又は［２］に記載の液体洗浄剤。
［４］２５℃における粘度が１０００ｍＰａ・ｓ以上である、［１］〜［３］のいずれか一項に記載の液体洗浄剤。
【発明の効果】
【００１３】
本発明の第一の態様によれば、洗浄力に優れ、かつ、希釈分散性に優れる液体洗浄剤を提供できる。
本発明の第二の態様によれば、洗浄力及び希釈分散性に優れ、かつ、粘度が高められた液体洗浄剤を提供できる。
本発明の第三の態様によれば、粘度を高めても、洗浄対象物等が着色されにくい液体洗浄剤を提供できる。
本発明の第四の態様によれば、高粘度でありながら水分散性に優れ、洗浄力、及び除菌活性にも優れる液体洗浄剤を提供できる。
【発明を実施するための形態】
【００１４】
（液体洗浄剤）
本発明の液体洗浄剤は、（Ａ）〜（Ｃ）成分を含有する組成物である。
【００１５】
＜（Ａ）成分：α−スルホ脂肪酸アルキルエステル塩＞
（Ａ）成分は、下記一般式（Ａ１）で表されるα−スルホ脂肪酸アルキルエステル塩であり、下記一般式（Ａ２）で表されるα−スルホ脂肪酸アルキルエステル塩（以下、「（ａ２）成分」ということがある）を３０質量％以上含有する。本発明の液体洗浄剤は、（Ａ）成分を含有することで、洗浄力及び希釈分散性が高められる。また、洗浄対象物等が着色されるのを抑制できる。以下、α−スルホ脂肪酸アルキルエステル塩を、「α−ＳＦ塩」ということがある。
本発明における「α−ＳＦ塩」は、脂肪酸アルキルエステルのα位の炭素原子に、スルホ基が結合し、スルホ基が塩を形成している化合物である。
【００１６】
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。］
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。］
【００１７】
式（Ａ１）中、Ｒ１１は、炭素数６〜２２の炭化水素基である。Ｒ１１は、直鎖でもよく、分岐鎖でもよく、環状の構造を含んでもよい。中でも、液体洗浄剤の洗浄力をより高め、洗浄対象物等が着色するのをより良好に抑制する観点から、Ｒ１１は、直鎖又は分岐鎖が好ましい。Ｒ１１は、飽和炭化水素基でもよいし、不飽和炭化水素基でもよい。
Ｒ１１としては、脂肪族炭化水素基が好ましく、直鎖もしくは分岐鎖のアルキル基又は直鎖もしくは分岐鎖のアルケニル基がより好ましく、直鎖のアルキル基がさらに好ましい。
Ｒ１１の炭素数は、６〜２２であり、８〜２０が好ましく、１０〜１６がより好ましい。
Ｒ１１の炭素数が上記範囲内であれば、液体洗浄剤の洗浄力をより高め、洗浄対象物等が着色するのをより良好に抑制できる。
Ｒ１１としては、脂肪族炭化水素基が好ましく、直鎖若しくは分岐鎖のアルキル基又は直鎖若しくは分岐鎖のアルケニル基がより好ましく、直鎖のアルキル基がさらに好ましい。
直鎖のアルキル基としては、デシル基、ウンデシル基、ドデシル基、トリデシル基、テトラデシル基、ペンタデシル基、ヘキサデシル基、ヘプタデシル基、オクタデシル基が挙げられる。
式（Ａ１）中、Ｒ１２は、炭素数１〜３のアルキル基である。Ｒ１２は、直鎖でもよいし分岐鎖でもよい。Ｒ１２の炭素数は、１〜２が好ましく、１がより好ましい。Ｒ１２としては、メチル基、エチル基、ｎ−プロピル基、イソプロピル基等が挙げられる。Ｒ１２としては、メチル基、エチル基が好ましく、メチル基がより好ましい。
【００１８】
式（Ａ１）中、Ｍは対イオンである。Ｍは、Ｒ１１ＣＨ（ＣＯＯＲ１２）ＳＯ３−とともに水溶性の塩を形成し得るものであればよい。前記対イオンとしては、アルカリ金属イオン、アルカリ土類金属イオン（１／２原子）、アルカノールアンモニウム、アンモニウム等が挙げられる。前記対イオンとなり得るアルカリ金属としては、ナトリウム、カリウム等が挙げられる。前記対イオンになり得るアルカリ土類金属としては、マグネシム等が挙げられる。前記対イオンになり得るアルカノールアンモニウムとしては、モノエタノールアミン、ジエタノールアミン、トリエタノールアミン等が挙げられる。
Ｍとしては、アルカリ金属イオンが好ましく、ナトリウムイオンが特に好ましい。
【００１９】
（Ａ）成分は、（ａ２）成分を含有する。即ち、液体洗浄剤は（ａ２）成分を含有する。液体洗浄剤は、（ａ２）成分を含有することで、洗浄力が高められる。また、洗浄対象物等が着色するのを良好に抑制できる。
式（Ａ２）中、Ｒ１３は、炭素数１４〜１６の炭化水素基である。Ｒ１３は、直鎖でもよく、分岐鎖でもよく、環状の構造を含んでもよい。中でも、洗浄対象物等が着色するのをより良好に抑制する観点から、Ｒ１３は、直鎖又は分岐鎖が好ましい。
Ｒ１３は、飽和炭化水素基でもよいし、不飽和炭化水素基でもよい。
Ｒ１３としては、脂肪族炭化水素基が好ましく、直鎖もしくは分岐鎖のアルキル基又は直鎖もしくは分岐鎖のアルケニル基がより好ましく、直鎖のアルキル基がさらに好ましい。
【００２０】
式（Ａ２）におけるＲ１４は、式（Ａ１）におけるＲ１２と同様であり、両者は同じでもよいし、異なってもよい。
式（Ａ２）におけるＭは、式（Ａ１）におけるＭと同様であり、両者は同じでもよいし、異なってもよい。
【００２１】
（ａ２）成分は、１種が単独で用いられてもよいし、２種以上が組み合わされて用いられてもよい。
（ａ２）成分としては、Ｒ１３が炭素数１４のα−ＳＦ塩（以下、(ａ２１）成分ということがある）とＲ１３が炭素数１６のα−ＳＦ塩（以下、(ａ２２）成分ということがある）との混合物が好ましい。このような混合物を含むことで、液体洗浄剤は、洗浄力がより高められ、水への希釈分散性がより高められる。また、洗浄対象物等が着色するのをより良好に抑制し、水への溶解性を高められる。（ａ２）成分としては、（ａ２１）成分／（ａ２２）成分で表される質量比（以下、ａ２１／ａ２２比ということがある）が９０／１０〜５０／５０であるものが好ましく、８５／１５〜７０／３０であるものがより好ましい。ａ２１／ａ２２比が上記範囲内であれば、洗浄力がより高められやすくなり、水への希釈分散性がより高められやすくなる。また、洗浄対象物等が着色するのをより良好に抑制できる。
【００２２】
本発明の第一の態様、及び第二の態様、第四の態様において、（Ａ）成分の総質量に対し、（ａ２）成分の含有量は、３０質量％以上であり、５０質量％以上が好ましく、８０質量％以上がより好ましく、１００質量％がさらに好ましい。（Ａ）成分中の（ａ２）成分の含有量が前記下限値以上であると、洗浄力がより高められる。具体的には、３０〜１００質量％が好ましく、５０〜１００質量％がより好ましく、８０〜１００質量％がさらに好ましい。
【００２３】
本発明の第三の態様において、（Ａ）成分の総質量に対し、（ａ２）成分の含有量は、５０質量％以上が好ましく、９０質量％以上が好ましく、１００質量％がさらに好ましい。（Ａ）成分中の（ａ２）成分の含有量が上記下限値以上であれば、液体洗浄剤は、洗浄対象物等が着色するのをより良好に抑制できる。具体的には、５０〜１００質量％が好ましく、９０〜１００質量％がより好ましい。
液体洗浄剤の総質量に対する（ａ２）成分の含有量は、例えば、０．１〜１０質量％が好ましく、０．５〜８質量％がより好ましく、２〜５質量％がさらに好ましい。液体洗浄剤中の（ａ２）成分の含有量が上記下限値以上であれば、液体洗浄剤は、洗浄対象物等が着色するのをより良好に抑制できる。液体洗浄剤中の（ａ２）成分の含有量が上記上限値以下であれば、液体洗浄剤の洗浄力をより高められる。
（Ａ）成分は、（ａ２）成分以外の（Ａ）成分（即ち、式（Ａ１）中のＲ１１の炭素数が８〜１３のα−ＳＦ塩又はＲ１１の炭素数が１７〜２２のα−ＳＦ塩）を含有してもよいし、含有していなくてもよい。
【００２４】
本発明の第四の態様において、（Ａ２）成分は、Ｒ１３が炭素数１４の炭化水素基である化合物（以下、「（Ａ２１）成分」ともいう）とＲ１３が炭素数１６の炭化水素基である化合物（以下、「（Ａ２２）成分」ともいう）との混合物であることが好ましい。
（Ａ２１）成分と（Ａ２２）成分との質量比（以下、「Ａ２１／Ａ２２比」ともいう）は、（Ａ２１）成分：（Ａ２２）成分で表して、９０：１０〜５０：５０が好ましく、８５：１５〜７０：３０がより好ましい。
Ａ２１／Ａ２２比が上記範囲内であれば、洗浄力を向上しやすくなり、水分散性を向上しやすい。
【００２５】
本発明の第一の態様、及び第二の態様における液体洗浄剤において、（Ａ）成分の含有量は、液体洗浄剤の総質量に対して、０．１〜７質量％が好ましく、０．５〜５質量％がより好ましく、１〜４質量％がさらに好ましく、２〜３質量％が特に好ましい。液体洗浄剤中の（Ａ）成分の含有量が前記下限値以上であると、洗浄力がより高められやすくなる。また、液体洗浄剤の粘度が高められやすくなる。液体洗浄剤中の（Ａ）成分の含有量が前記上限値以下であると、低温保存時等における保存安定性が高められやすくなる。
【００２６】
本発明の第三の態様における液体洗浄剤の総質量に対する（Ａ）成分の含有量は、０．５〜８質量％が好ましく、１〜４．５質量％がより好ましい。
（Ａ）成分の含有量が上記範囲内であれば、液体洗浄剤は、洗浄対象物等が着色するのをより良好に抑制できる。
【００２７】
本発明の第四の態様において、（Ａ）成分の含有量は、液体洗浄剤の総質量に対し、０．１〜７質量％が好ましく、０．５〜５質量％がより好ましく、１〜４質量％がさらに好ましい。（Ａ）成分の含有量が前記上限値以下であると、水分散性を向上しやすい。
（Ａ）成分の含有量が上記下限値以上であると、洗浄力を向上しやすくなり、粘度も高められやすい。
【００２８】
本発明の第一の態様、及び第二の態様において、（Ａ）成分の含有量は、界面活性剤の総質量（（Ａ）〜（Ｃ）成分及び任意成分として配合された界面活性剤の合計含有質量）に対して、０．５〜３５質量％が好ましく、２．５〜２５質量％がより好ましく、５〜２０質量％がさらに好ましく、８〜１５質量％が特に好ましい。界面活性剤中の（Ａ）成分の含有量が前記下限値以上であると、洗浄力がより高められやすくなる。界面活性剤中の（Ａ）成分の含有量が前記上限値以下であると、希釈分散性がより高められやすくなる。また、低温保存時等における保存安定性等が高められやすくなる。
【００２９】
本発明の第三の態様において、液体洗浄剤中の界面活性剤の総量（（Ａ）〜（Ｃ）成分及び任意成分として配合された界面活性の合計量、以下、界面活性剤総量ということがある）に対する（Ａ）成分の含有量は、０．５〜３５質量％が好ましく、２．５〜３５質量％がより好ましく、５〜２１質量％がさらに好ましい。界面活性剤の総量に対する（Ａ）成分の含有量が上記下限値以上であれば、洗浄対象物等が着色するのをより良好に抑制できる。界面活性剤の総量に対する（Ａ）成分の含有量が上記上限値以下であれば、液体洗浄剤が水に分散しやすくなる。
このため、洗浄液の調製が容易であり、容易にすすぐことができる。
【００３０】
本発明の第四の態様において、（Ａ）成分の含有量は、界面活性剤の総質量（（Ａ）〜（Ｃ）成分及び任意成分として配合された界面活性剤の合計含有質量）に対し、０．５〜３５質量％が好ましく、２．５〜２５質量％がより好ましく、５〜２０質量％がさらに好ましい。
（Ａ）成分の含有量が前記上限値以下であると、水分散性を向上しやすい。
（Ａ）成分の含有量が上記下限値以上であると、洗浄力を向上しやすい。
【００３１】
＜（Ｂ）成分：（Ａ）成分以外のアニオン界面活性剤＞
（Ｂ）成分は、（Ａ）成分以外のアニオン界面活性剤である。
本発明の液体洗浄剤は、（Ｂ）成分を含有することで洗浄力が高められる。また、粘度が高められる。
【００３２】
（Ａ）成分以外のアニオン界面活性剤としては、例えば、直鎖アルキルベンゼンスルホン酸塩；アルキル硫酸エステル塩；アルキルエーテル硫酸エステル塩またはアルケニルエーテル硫酸エステル塩；α−オレフィンスルホン酸塩；アルカンスルホン酸塩等が挙げられる。
これらの塩としては、ナトリウム塩、カリウム塩等のアルカリ金属塩、マグネシウム塩等のアルカリ土類金属塩、モノエタノールアミン塩、ジエタノールアミン塩、トリエタノールアミン塩等のアルカノールアミン塩、アンモニウム塩等が挙げられる。これらのなかでも、アルカリ金属塩が好ましい。
【００３３】
上記のうち、直鎖アルキルベンゼンスルホン酸塩としては、直鎖アルキル基の炭素数が８〜２０の直鎖アルキルベンゼンスルホン酸塩が好ましく、炭素数１０〜１４の直鎖アルキルベンゼンスルホン酸塩がより好ましい。
アルキル硫酸エステル塩としては、炭素数１０〜２０の直鎖または分岐鎖のアルキル硫酸エステル塩が好ましく、炭素数１０〜１６の直鎖または分岐鎖のアルキル硫酸エステル塩がより好ましい。
アルキルエーテル硫酸エステル塩としては、炭素数１０〜２０の直鎖または分岐鎖のアルキル基を有し、平均１〜１０モルのエチレンオキシドを付加したポリオキシエチレンアルキルエーテル硫酸エステル塩が好ましい。
アルケニルエーテル硫酸塩としては、炭素数１０〜２０の直鎖または分岐鎖のアルケニル基を有し、平均１〜１０モルのエチレンオキシドを付加したポリオキシエチレンアルケニルエーテル硫酸エステル塩が好ましい。
α−オレフィンスルホン酸塩としては、炭素数１０〜２０のα−オレフィンスルホン酸塩が好ましく、炭素数１０〜１６のα−オレフィンスルホン酸塩がより好ましい。
アルカンスルホン酸塩としては、炭素数１０〜２０のアルキル基を有する２級アルカンスルホン酸塩が好ましく、炭素数１４〜１８のアルキル基を有する２級アルカンスルホン酸塩が好ましい。
【００３４】
（Ｂ）成分は、いずれか１種が単独で用いられてもよく、２種以上が組み合わされて用いられてもよい。
（Ｂ）成分としては、直鎖アルキルベンゼンスルホン酸塩（ｂ１）、下記一般式（Ｂ２）で表される化合物（ｂ２）、アルキル硫酸エステル塩（ｂ３）からなる群より選ばれる少なくとも１種を含むことが好ましい。
【００３５】
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＰＯとＥＯは、ブロック状に配列しても、ランダム状に配列してもよい。また、ＰＯとＥＯは、ＰＯが「Ｒ２１−Ｏ−」に結合してもよいし、ＥＯが「Ｒ２１−Ｏ−」に結合してもよい。
【００３６】
式（Ｂ２）中、Ｒ２１の炭素数は、８〜１８が好ましく、１０〜１４がより好ましく、１２〜１４がさらに好ましい。Ｒ２１としては、アルキル基でもよく、アルケニル基でもよいが、直鎖もしくは分岐鎖のアルキル基が好ましい。アルキル基としては、オクチル基、ノニル基、デシル基、ウンデシル基、ドデシル基、トリデシル基、テトラデシル基、ペンタデシル基、ヘキサデシル基、ヘプタデシル基、オクタデシル基が挙げられる。
また、Ｒ２１は、洗浄力の向上及び環境面から、油脂原料由来のアルキル基であることが好ましい。好適な油脂原料としては、パーム核油、ヤシ油等が挙げられる。
【００３７】
式（Ｂ２）中、ｍは、０≦ｍ＜１である。ｎは、０≦ｎ≦４であり、１≦ｎ≦３が好ましく、１．５≦ｎ≦２．５がより好ましく、ｎ＝２がさらに好ましい。
式（Ｂ２）中、Ｚは、式（Ａ１）中のＭと同様である。
【００３８】
（ｂ２）成分としては、直鎖アルキル（Ｃ１２）硫酸エステルナトリウム塩、ポリオキシエチレン（１）直鎖アルキル（Ｃ１２）硫酸エステルナトリウム塩、ポリオキシエチレン（２）直鎖アルキル（Ｃ１２）硫酸エステルナトリウム塩、ポリオキシエチレン（４）直鎖アルキル（Ｃ１２）硫酸エステルナトリウム塩、ポリオキシプロピレン（０．４）ポリオキシエチレン（１．５）直鎖アルキル（Ｃ１２）硫酸エステルナトリウム塩、ポリオキシエチレン（１）直鎖アルキル（Ｃ１２／１４＝７５／２５；天然油脂由来）硫酸エステルナトリウム塩、ポリオキシエチレン（２）直鎖アルキル（Ｃ１２／１４＝７５／２５；天然油脂由来）硫酸エステルナトリウム塩、ポリオキシエチレン（４）直鎖アルキル（Ｃ１２／１４＝７５／２５；天然油脂由来）硫酸エステルナトリウム塩、ポリオキシプロピレン（０．４）ポリオキシエチレン（１．５）直鎖アルキル（Ｃ１２／１４＝７５／２５；天然油脂由来）硫酸エステルナトリウム塩等が挙げられる。
中でも、（Ｂ）成分としては、ポリオキシエチレン（１）直鎖アルキル（Ｃ１２／１４＝７５／２５；天然油脂由来）硫酸エステルナトリウム塩、ポリオキシエチレン（２）直鎖アルキル（Ｃ１２／１４＝７５／２５；天然油脂由来）硫酸エステルナトリウム塩、アルキル（Ｃ１２）硫酸エステルナトリウム塩、直鎖アルキル（Ｃ１０〜１４）ベンゼンスルホン酸ナトリウム塩が好ましい。
なお、括弧内に数値のみが記載されている場合、この数値はオキシエチレン基又はオキシプロピレン基の平均繰り返し数を示し括弧内の」Ｃの後の数字は炭素数を示す。例えば、「ポリオキシエチレン（１）直鎖アルキル（Ｃ１２）硫酸エステルナトリウム塩」とは、オキシエチレン基の平均繰り返し数が１（エチレンオキシドの平均付加モル数が１）で、直鎖アルキル基の炭素数が１２であることを意味する。
また、「Ｃ１２／１４＝７５／２５；天然油脂由来」とは、炭素数１２の直鎖アルキル基を有するものと、炭素数１４の直鎖アルキル基を有するものとの混合物（混合比率：質量比で７５／２５）であること、天然油脂由来の直鎖状のアルキル基であることを意味する。
【００３９】
（ｂ２）成分としては、直鎖アルキル（Ｃ１２）硫酸エステルナトリウム塩、ポリオキシエチレン（１）直鎖アルキル（Ｃ１２／１４＝７５／２５；天然油脂由来）硫酸エステルナトリウム塩、ポリオキシエチレン（２）直鎖アルキル（Ｃ１２／１４＝７５／２５；天然油脂由来）硫酸エステルナトリウム塩が好ましい。
【００４０】
（Ｂ）成分としては、（ｂ１）成分と（ｂ２）成分とが併用されることが好ましい。
この場合、（ｂ１）成分／（ｂ２）成分で表される質量比［（ｂ２）成分の含有量に対する（ｂ１）成分の含有量の質量比、以下「ｂ１／ｂ２比」ともいう］は、０．６〜１．５が好ましく、０．６〜１．２がより好ましい。ｂ１／ｂ２比が、前記の好ましい範囲であると、洗浄力がより高められやすくなる。また、上記上限値以下であると、水分散性を向上しやすい。上記下限値以上であると、粘度を高められやすい。
【００４１】
本発明の第一の態様、及び第二の態様において、（Ｂ）成分の含有量は、液体洗浄剤の総質量に対して、５〜３０質量％が好ましく、８〜２５質量％がより好ましく、１０〜２０質量％がさらに好ましい。液体洗浄剤中の（Ｂ）成分の含有量が前記下限値以上であると、洗浄力がより高められやすくなる。液体洗浄剤中の（Ｂ）成分の含有量が前記上限値以下であると、他の成分の配合の自由度を保ちやすくなる。また、粘度が高められやすくなる。
【００４２】
本発明の第三の態様において、液体洗浄剤の総質量に対する（Ｂ）成分の含有量は、８〜２０質量％が好ましく、１２〜１８質量％が好ましい。（Ｂ）成分の配合量が下限値以上であれば、液体洗浄剤の粘度を高めやすく、上記上限値以下であれば洗浄対象物等が着色するのをより良好に抑制できる。
【００４３】
本発明の第四の態様において、（Ｂ）成分の含有量は、液体洗浄剤の総質量に対し、５〜３０質量％が好ましく、８〜２５質量％がより好ましく、１０〜２０質量％がさらに好ましい。
（Ｂ）成分の含有量が前記上限値以下であると、水分散性を向上しやすい。
（Ｂ）成分の含有量が上記下限値以上であると、洗浄力を向上しやすい。
【００４４】
本発明の第一の態様、及び第二の態様において、（Ｂ）成分の含有量は、界面活性剤の総質量に対して、５０〜９５質量％が好ましく、６０〜９３質量％がより好ましく、７０〜９０質量％がさらに好ましく、７５〜８８質量％が特に好ましい。界面活性剤中の（Ｂ）成分の含有量が前記の好ましい範囲であると、洗浄力がより高められやすくなる。
【００４５】
本発明の第三の態様において、（Ｂ）成分の含有量は、界面活性剤の総質量に対して、５０〜９５質量％が好ましく、７０〜９０質量％がより好ましい。
界面活性剤総量中の（Ｂ）成分の含有量が上記下限値以上であれば、液体洗浄剤の粘度をより高めやすい。界面活性剤総量中の（Ｂ）成分の含有量が上記上限値以下であれば、洗浄対象物等が着色するのをより良好に抑制できる。
【００４６】
本発明の第四の態様において、（Ｂ）成分の含有量は、界面活性剤の総質量に対し、５０〜９５質量％が好ましく、６０〜９３質量％がより好ましく、７０〜９０質量％がさらに好ましい。
（Ｂ）成分の含有量が前記上限値以下であると、水分散性を向上しやすい。
（Ｂ）成分の含有量が上記下限値以上であると、洗浄力を向上しやすい。
【００４７】
本発明の第一の態様、及び第二の態様において、液体洗浄剤の総質量に対し、（Ａ）成分と（Ｂ）成分との合計含有量［以下、「（Ａ＋Ｂ）合計含有量」ともいう］は、５〜３０質量％が好ましく、８〜２５質量％がより好ましく、１０〜２０質量％がさらに好ましい。液体洗浄剤中の（Ａ＋Ｂ）合計含有量が前記下限値以上であると、洗浄力がより高められやすくなる。液体洗浄剤中の（Ａ＋Ｂ）合計含有量が前記上限値以下であると、他の成分の配合の自由度を保ちやすくなる。
【００４８】
本発明の第四の態様において、（Ａ）成分と（Ｂ）成分との合計含有量［以下、「（Ａ＋Ｂ）合計含有量」ともいう］は、液体洗浄剤の総質量に対し、５〜３０質量％が好ましく、８〜２５質量％がより好ましい。
液体洗浄剤中の（Ａ＋Ｂ）合計含有量が前記上限値以下であると、他の成分の配合の自由度を保ちやすい。
液体洗浄剤中の（Ａ＋Ｂ）合計含有量が前記下限値以上であると、洗浄力を向上しやすく、粘度を高められやすい。
【００４９】
本発明の第一の態様において、（Ａ＋Ｂ）合計含有量は、界面活性剤の総質量に対して、５０〜９８質量％が好ましく、６０〜９６質量％がより好ましく、７０〜９５質量％がさらに好ましく、７５〜９０質量％が特に好ましい。界面活性剤中の（Ａ＋Ｂ）合計含有量が前記下限値以上であると、洗浄力がより高められやすくなる。また、粘度が高められやすくなる。界面活性剤中の（Ａ＋Ｂ）合計含有量が前記上限値以下であると、他の成分の配合の自由度を保ちやすくなる。
【００５０】
本発明の第二の態様において、（Ａ＋Ｂ）合計含有量は、界面活性剤の総質量に対して、６０質量％以上が好ましく、７０質量％以上がより好ましく、８０質量％以上がさらに好ましく、９０質量％以上が特に好ましい。具体的には、６０〜１００質量％が好ましく、７０〜１００質量％がより好ましく、８０〜１００質量％がさらに好ましく、９０〜１００質量％が特に好ましい。
界面活性剤中の（Ａ＋Ｂ）合計含有量が前記下限値以上であると、洗浄力がより高められやすくなる。
【００５１】
本発明の第四の態様において、（Ａ＋Ｂ）合計含有量は、界面活性剤の総質量に対して、６０質量％以上が好ましく、７０質量％以上がより好ましく、８０質量％以上がさらに好ましく、９０質量％以上が特に好ましい。具体的には、６０〜１００質量％が好ましく、７０〜１００質量％がより好ましく、８０〜１００質量％がさらに好ましく、９０〜１００質量％が特に好ましい。
界面活性剤中の（Ａ＋Ｂ）合計含有量が前記下限値以上であると、洗浄力を向上しやすい。
【００５２】
本発明の第一の態様、及び第二の態様において、（Ａ）成分／（（Ａ）成分＋（Ｂ）成分）で表される質量比［（Ａ＋Ｂ）合計含有量に対する（Ａ）成分の含有量の質量比、以下「Ａ／（Ａ＋Ｂ）比」ともいう］は、０．１０〜０．５０が好ましく、０．１０〜０．４５がより好ましい。Ａ／（Ａ＋Ｂ）比が前記の好ましい範囲であると、希釈分散性がより高められやすくなる。
【００５３】
本発明の第四の態様において、（Ａ）成分／（（Ａ）成分＋（Ｂ）成分）で表される質量比［（Ａ＋Ｂ）合計含有量に対する（Ａ）成分の含有量の質量比、以下、「Ａ／（Ａ＋Ｂ）比」ともいう］は、０．１０〜０．５０が好ましく、０．１０〜０．４５がより好ましい。
Ａ／（Ａ＋Ｂ）比が前記数値範囲内であると、水分散性を向上しやすい。
【００５４】
＜（Ｃ）成分：ベタイン型両性界面活性剤＞
（Ｃ）成分は、ベタイン型両性界面活性剤である。本発明の液体洗浄剤は、（Ｃ）成分を含有することで、洗浄力が高められ、かつ希釈分散性が高められる。また、粘度が高められる。
【００５５】
（Ｃ）成分としては、例えば、下記一般式（Ｃ１）で表されるアルキル（アルケニル）アミドカルボベタイン型両性界面活性剤（以下、（ｃ１）成分ともいう）、下記一般式（Ｃ２）で表されるアルキル（アルケニル）カルボベタイン型両性界面活性剤（以下、（ｃ２）成分ともいう）、下記一般式（Ｃ３）で表されるアルキル（アルケニル）アミドスルホベタイン型両性界面活性剤（以下、（ｃ３）成分ともいう）、下記一般式（Ｃ４）で表されるアルキル（アルケニル）スルホベタイン型両性界面活性剤（以下、（ｃ４）成分ともいう）が挙げられる。
【００５６】
【化３】
2017069017.tif 000004
【００５７】
式（Ｃ１）中、Ｒ３１は炭素数７〜２２の直鎖もしくは分岐鎖のアルキル基又は炭素数７〜１９の直鎖もしくは分岐鎖のアルケニル基であり、Ｒ３２は炭素数１〜５のアルキレン基であり、Ｒ３３及びＲ３４はそれぞれ独立して水酸基で置換されてもよい炭素数１〜５のアルキル基であり、Ｒ３５は水酸基で置換されてもよい炭素数１〜３の直鎖又は分岐鎖のアルキレン基である。
【００５８】
Ｒ３１の炭素数は、７〜１７が好ましく、９〜１７がより好ましく、１１〜１５がさらに好ましい。また、Ｒ３１としては、直鎖もしくは分岐鎖のアルキル基が好ましく、直鎖のアルキル基がより好ましい。
Ｒ３１の炭素数７〜２２のアルキル基としては、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基が挙げられる。
Ｒ３２は、炭素数１〜３のアルキレン基が好ましく、炭素数３のアルキレン基がより好ましい。
Ｒ３２の炭素数１〜５のアルキレン基としては、メチレン基、エチレン基、プロピレン基、ブチレン基、ペンチレン基が挙げられる。
Ｒ３３及びＲ３４は、それぞれ独立して炭素数１〜３のアルキル基が好ましく、メチル基がより好ましい。さらに、Ｒ３３及びＲ３４の両方がメチル基であることがより好ましい。
Ｒ３３及びＲ３４の水酸基で置換されてもよい炭素数１〜５のアルキル基としては、メチル基、ヒドロキシメチル基、エチル基、ヒドロキシエチル基、プロピル基、ヒドロキシプロピル基、ブチル基、ヒドロキシブチル基、ペンチル基、ヒドロキシペンチル基が挙げられる。なかでもメチル基がより好ましい。
Ｒ３５は、メチレン基が好ましい。Ｒ３５の水酸基で置換されてもよい炭素数１〜３の直鎖又は分岐鎖のアルキレン基としては、メチレン基、ヒドロキシメチレン基、エチレン基、ヒドロキシエチレン基、プロピレン基、ヒドロキシプロピレン基が挙げられる。
【００５９】
（ｃ１）成分としては、例えば、オクタン酸アミドプロピルジメチルアミノ酢酸ベタイン、デカン酸アミドプロピルジメチルアミノ酢酸ベタイン、ラウリン酸アミドプロピルジメチルアミノ酢酸ベタイン、ミリスチン酸アミドプロピルジメチルアミノ酢酸ベタイン、ステアリン酸アミドプロピルジメチルアミノ酢酸ベタイン、オレイン酸アミドプロピルジメチルアミノ酢酸ベタイン、ヤシ油脂肪酸アミドプロピルジメチルアミノ酢酸ベタイン、パーム油脂肪酸アミドプロピルジメチルアミノ酢酸ベタイン、パーム核油脂肪酸アミドプロピルジメチルアミノ酢酸ベタイン等が挙げられる。
これらの（ｃ１）成分は、１種単独で用いられてもよいし、２種以上が組み合わされて用いられてもよい。
【００６０】
（ｃ１）成分としては、従来公知の製造方法で合成されたものが用いられてもよいし、市販品が用いられてもよい。ラウリン酸アミドプロピルジメチルアミノ酢酸ベタインの市販品としては、例えば、ライオン株式会社製「エナジコールＬ−３０Ｂ」（商品名）が挙げられる。ヤシ油脂肪酸アミドプロピルジメチルアミノ酢酸ベタインの市販品としては、例えば、Ｅｖｏｎｉｋ社製の「Ｔｅｇｏ  Ｂｅｔａｉｎ  Ｌ７」（商品名）等が挙げられる。
【００６１】
【化４】
2017069017.tif 000005
【００６２】
式（Ｃ２）中、Ｒ３６は炭素数８〜２０の直鎖もしくは分岐鎖のアルキル基又は炭素数８〜２０の直鎖もしくは分岐鎖のアルケニル基であり、Ｒ３７及びＲ３８はそれぞれ独立して水酸基で置換されてもよい炭素数１〜５のアルキル基であり、Ｒ３９は水酸基で置換されてもよい炭素数１〜３の直鎖又は分岐鎖のアルキレン基である。
【００６３】
Ｒ３６の炭素数は、８〜１８が好ましく、１０〜１８がより好ましく、１２〜１８がさらに好ましく、１２〜１６が特に好ましい。また、Ｒ３６としては、直鎖もしくは分岐鎖のアルキル基が好ましく、直鎖のアルキル基がより好ましい。
Ｒ３６の炭素数８〜１８のアルキル基としては、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基が挙げられる。
Ｒ３７及びＲ３８は、それぞれ独立して炭素数１〜３のアルキル基が好ましい。Ｒ３７及びＲ３８の水酸基で置換されてもよい炭素数１〜５のアルキル基としては、メチル基、ヒドロキシメチル基、エチル基、ヒドロキシエチル基、プロピル基、ヒドロキシプロピル基、ブチル基、ヒドロキシブチル基、ペンチル基、ヒドロキシペンチル基が挙げられる。メチル基がより好ましい。さらに、Ｒ３７及びＲ３８の両方がメチル基であることがより好ましい。
Ｒ３９の水酸基で置換されてもよい炭素数１〜３の直鎖又は分岐鎖のアルキレン基としては、メチレン基、ヒドロキシメチレン基、エチレン基、ヒドロキシエチレン基、プロピレン基、ヒドロキシプロピレン基が挙げられる。Ｒ３９は、メチレン基が好ましい。
【００６４】
（ｃ２）成分としては、例えば、ヤシ油アルキルジメチルアミノ酢酸ベタイン、オクチルジメチルアミノ酢酸ベタイン、デシルジメチルアミノ酢酸ベタイン、ラウリルジメチルアミノ酢酸ベタイン、ミリスチルジメチルアミノ酢酸ベタイン、パルミチルジメチルアミノ酢酸ベタイン、ステアリルジメチルアミノ酢酸ベタイン、オレイルジメチルアミノ酢酸ベタイン等が挙げられる。
これらの（ｃ２）成分は、１種単独で用いられてもよいし、２種以上が組み合わされて用いられてもよい。
【００６５】
（ｃ２）成分としては、従来公知の製造方法で合成されたものが用いられてもよいし、市販品が用いられてもよい。ラウリルジメチルアミノ酢酸ベタインの市販品として、例えば、三洋化成工業株式会社製「レボンＬＤ−３６」（商品名）、東邦化学工業株式会社製「オバゾリンＬＢ−ＳＦ」（商品名）が挙げられる。ステアリルジメチルアミノ酢酸ベタインの市販品としては、花王株式会社製「アンヒトール８６Ｂ」（商品名）が挙げられる。
【００６６】
【化５】
2017069017.tif 000006
【００６７】
式（Ｃ３）中、Ｒ４１は炭素数７〜１９の直鎖もしくは分岐鎖のアルキル基又は炭素数７〜１９の直鎖もしくは分岐鎖のアルケニル基であり、Ｒ４２は炭素数１〜５のアルキレン基であり、Ｒ４３及びＲ４４はそれぞれ独立して水酸基で置換されてもよい炭素数１〜５のアルキル基であり、Ｒ４５は水酸基で置換されてもよい炭素数１〜３の直鎖又は分岐鎖のアルキレン基である。
【００６８】
Ｒ４１の炭素数は、７〜１７が好ましく、９〜１７がより好ましく、１１〜１５がさらに好ましい。また、Ｒ４１としては、直鎖もしくは分岐鎖のアルキル基が好ましく、直鎖のアルキル基がより好ましい。Ｒ４１の炭素数７〜１９のアルキル基としては、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基が挙げられる。
Ｒ４２の炭素数１〜５のアルキレン基としては、メチレン基、エチレン基、プロピレン基、ブチレン基、ペンチレン基が挙げられる。
Ｒ４２は、炭素数１〜３のアルキレン基が好ましく、炭素数３のアルキレン基がより好ましい。
Ｒ４３及びＲ４４の水酸基で置換されてもよい炭素数１〜５のアルキル基としては、メチル基、ヒドロキシメチル基、エチル基、ヒドロキシエチル基、プロピル基、ヒドロキシプロピル基、ブチル基、ヒドロキシブチル基、ペンチル基、ヒドロキシペンチル基が挙げられる。Ｒ４３及びＲ４４は、それぞれ独立して炭素数１〜３のアルキル基が好ましい。メチル基がより好ましい。さらに、Ｒ４３及びＲ４４の両方がメチル基であることがより好ましい。
Ｒ４５の水酸基で置換されてもよい炭素数１〜３の直鎖又は分岐鎖のアルキレン基としては、メチレン基、ヒドロキシメチレン基、エチレン基、ヒドロキシエチレン基、プロピレン基、ヒドロキシプロピレン基が挙げられる。Ｒ４５は、炭素数３の直鎖アルキレン基が好ましく、水酸基で置換された炭素数３の直鎖アルキレン基（２−ヒドロキシプロピレン基）がより好ましい。
【００６９】
（ｃ３）成分としては、例えば、オクタン酸アミドプロピルヒドロキシスルホベタイン、デカン酸アミドプロピルヒドロキシスルホベタイン、ラウリン酸アミドプロピルヒドロキシスルホベタイン、ミリスチン酸アミドプロピルヒドロキシスルホベタイン、ステアリン酸アミドプロピルヒドロキシスルホベタイン、オレイン酸アミドプロピルヒドロキシスルホベタイン、ヤシ油脂肪酸アミドプロピルヒドロキシスルホベタイン、パーム油脂肪酸アミドプロピルヒドロキシスルホベタイン、パーム核油脂肪酸アミドプロピルヒドロキシスルホベタイン等が挙げられる。
これらの（ｃ３）成分は、１種単独で用いられてもよいし、２種以上が組み合わされて用いられてもよい。
（ｃ３）成分としては、従来公知の製造方法で合成されたものが用いられてもよいし、市販品が用いられてもよい。
【００７０】
【化６】
2017069017.tif 000007
【００７１】
式（Ｃ４）中、Ｒ４６は炭素数８〜２０の直鎖もしくは分岐鎖のアルキル基又は炭素数８〜２０の直鎖もしくは分岐鎖のアルケニル基であり、Ｒ４７及びＲ４８はそれぞれ独立して水酸基で置換されてもよい炭素数１〜５のアルキル基であり、Ｒ４９は水酸基で置換されてもよい炭素数１〜３の直鎖又は分岐鎖のアルキレン基である。
【００７２】
Ｒ４６の炭素数は、８〜１８が好ましく、１０〜１８がより好ましく、１２〜１８がさらに好ましく、１２〜１６が特に好ましい。また、Ｒ４６としては、直鎖もしくは分岐鎖のアルキル基が好ましく、直鎖のアルキル基がより好ましい。Ｒ４６の炭素数８〜２０のアルキル基としては、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基が挙げられる。
Ｒ４７及びＲ４８の水酸基で置換されてもよい炭素数１〜５のアルキル基としては、メチル基、ヒドロキシメチル基、エチル基、ヒドロキシエチル基、プロピル基、ヒドロキシプロピル基、ブチル基、ヒドロキシブチル基、ペンチル基、ヒドロキシペンチル基が挙げられる。Ｒ４７及びＲ４８は、それぞれ独立して炭素数１〜３のアルキル基が好ましく、メチル基がより好ましい。さらに、Ｒ４７及びＲ４８の両方がメチル基であることがより好ましい。
Ｒ４９の水酸基で置換されてもよい炭素数１〜３の直鎖又は分岐鎖のアルキレン基としては、メチレン基、ヒドロキシメチレン基、エチレン基、ヒドロキシエチレン基、プロピレン基、ヒドロキシプロピレン基が挙げられる。Ｒ４９は、炭素数３の直鎖アルキレン基が好ましく、水酸基で置換された炭素数３の直鎖アルキレン基がより好ましい。
【００７３】
（ｃ４）成分としては、例えば、オクチルヒドロキシスルホベタイン、デシルヒドロキシスルホベタイン、ラウリルヒドロキシスルホベタイン、ミリスチルヒドロキシスルホベタイン、ステアリルヒドロキシスルホベタイン、オレイルヒドロキシスルホベタイン等が挙げられる。
これらの（ｃ４）成分は、１種単独で用いられてもよいし、２種以上が組み合わされて用いられてもよい。
（ｃ４）成分としては、従来公知の製造方法で合成されたものが用いられてもよいし、市販品が用いられてもよい。
【００７４】
（Ｃ）成分としては、洗浄力及び希釈分散性がより高められる点から、（ｃ１）成分、（ｃ３）成分が好ましく、（ｃ１）成分がより好ましい。（ｃ１）成分であれば、液体洗浄剤の粘度を高めやすく、洗浄対象物等が着色するのをより良好に抑制できる。
（Ｃ）成分は、いずれか１種が単独で用いられてもよく、２種以上が組み合わされて用いられてもよい。
本発明の第一の態様、及び第二の態様において、（Ｃ）成分の含有量は、液体洗浄剤の総質量に対して、０．１〜５質量％が好ましく、０．３〜４質量％がより好ましく、０．５〜３．５質量％がさらに好ましい。液体洗浄剤中の（Ｃ）成分の含有量が前記の好ましい範囲であると、洗浄力及び希釈分散性がより高められやすくなる。また、粘度を所望の範囲（例えば１０００〜１００００ｍＰａ・ｓ）に調整しやすくなる。
本発明の第一の態様、及び第二の態様において、（Ｃ）成分の含有量は、界面活性剤の総質量に対して、０．４〜２０質量％が好ましく、０．６〜１０質量％がより好ましく、１〜８質量％がさらに好ましい。界面活性剤中の（Ｃ）成分の含有量が前記の好ましい範囲であると、洗浄力及び希釈分散性がより高められやすくなる。また、粘度を所望の範囲に調整しやすくなる。
【００７５】
本発明の第三の態様において、液体洗浄剤の総質量に対する（Ｃ）成分の含有量は、０．５〜５質量％が好ましく、１〜３質量％がより好ましい。（Ｃ）成分の含有量が上記下限値以上であれば、液体洗浄剤の粘度を高めやすい。（Ｃ）成分の含有量が上記上限値以下であれば、洗浄対象物等が着色するのをより良好に抑制できる。
【００７６】
本発明の第三の態様において、（Ｃ）成分の含有量は、界面活性剤の総質量に対し、２〜２２質量％が好ましく、４〜１５質量％がより好ましい。
界面活性剤総量中の（Ｃ）成分の含有量が上記下限値以上であれば、液体洗浄剤の粘度をより高めやすい。
界面活性剤総量中の（Ｃ）成分の含有量が上記上限値以下であれば、洗浄対象物等が着色するのをより良好に抑制できる。
【００７７】
本発明の第四の態様において、（Ｃ）成分の含有量は、液体洗浄剤の総質量に対し、０．１〜５質量％が好ましく、３〜４質量％がより好ましく、０．５〜３．５質量％がさらに好ましい。
（Ｃ）成分の含有量が前記上限値以下であると、水分散性を向上しやすい。
（Ｃ）成分の含有量が上記下限値以上であると、洗浄力を向上しやすい。
【００７８】
本発明の第四の態様において、（Ｃ）成分の含有量は、界面活性剤の総質量に対し、０．４〜２０質量％が好ましく、０．６〜１０質量％がより好ましく、１〜８質量％がさらに好ましい。
（Ｃ）成分の含有量が前記上限値以下であると、水分散性を向上しやすい。
（Ｃ）成分の含有量が上記下限値以上であると、洗浄力を向上しやすい。
【００７９】
本発明の第一の態様において、（Ａ）成分／（Ｃ）成分で表される質量比［（Ｃ）成分の含有量に対する（Ａ）成分の含有量の質量割合、以下「Ａ／Ｃ比」ともいう。］は０．５〜８．０が好ましく、１．２〜４．５がより好ましく、１．５〜３．０がさらに好ましい。
Ａ／Ｃ比が上記範囲内であると、洗浄力及び希釈分散性が高められやすくなる。
【００８０】
本発明の第三の態様において、液体洗浄剤中、（Ａ）成分／（Ｃ）成分で表される質量比（Ａ／Ｃ比）は、０．５〜８が好ましく、０．７〜４．５がより好ましい。
Ａ／Ｃ比が上記下限値以上であれば、洗浄対象物等が着色するのをより良好に抑制できる。
Ａ／Ｃ比が上記上限値以下であれば、液体洗浄剤の粘度をより高めやすい。
【００８１】
本発明の第四の態様において、（Ａ）成分／（Ｃ）成分で表される質量比（以下、「Ａ／Ｃ比」ともいう。）は０．５〜８が好ましく、１．２〜４．５がより好ましく、１．５〜３．０がさらに好ましい。
Ａ／Ｃ比が上記範囲内であると、粘度を高められやすく、水分散性を向上しやすい。
【００８２】
本発明の第一の態様において、（Ａ）成分と（Ｃ）成分との合計含有量［以下、「（Ａ＋Ｃ）合計含有量」ともいう。］は、液体洗浄剤の総質量に対して１０質量％以下であることが好ましい。（Ａ＋Ｃ）合計含有量が１０質量％以下であると、希釈分散性を向上しやすい。（Ａ＋Ｃ）合計含有量は、液体洗浄剤の総質量に対して、９質量％以下が好ましく、８質量％以下がより好ましい。
また、本発明の第一の態様において、（Ａ＋Ｃ）合計含有量は、界面活性剤の総質量に対して、５０質量％以下が好ましく、４０質量％以下がより好ましい。（Ａ＋Ｃ）合計含有量が界面活性剤の総質量に対して前記上限値以下であると、希釈分散性が高められやすくなる。
【００８３】
本発明の第二の態様において、（Ａ）成分と（Ｃ）成分との合計含有量［以下、「（Ａ＋Ｃ）合計含有量」は、液体洗浄剤の総質量に対して、０．２〜１２質量％が好ましく、０．５〜８質量％がより好ましく、１〜５質量％がさらに好ましい。液体洗浄剤中の（Ａ＋Ｃ）合計含有量が前記の好ましい範囲であると、洗浄力及び希釈分散性が高められやすくなる。また、粘度を所望の範囲に調整しやすくなる。
本発明の第二の態様において、（Ａ＋Ｃ）合計含有量は、界面活性剤の総質量に対して、０．５〜４０質量％が好ましく、３〜３０質量％がより好ましく、５〜２０質量％がさらに好ましい。界面活性剤中の（Ａ＋Ｂ）合計含有量が前記の好ましい範囲であると、洗浄力及び希釈分散性が高められやすくなる。また、粘度を所望の範囲に調整しやすくなる。
【００８４】
本発明の第一の態様において、（Ａ）〜（Ｃ）成分の合計含有量は、液体洗浄剤の総質量に対して、１０〜４０質量％が好ましく、１０〜３５質量％がより好ましく、１５〜３０質量％がさらに好ましい。
本発明の第一の態様において、また、（Ａ）〜（Ｃ）成分の合計含有量は、界面活性剤の総質量に対して、５０質量％以上が好ましく、７０質量％以上がより好ましく、８０質量％以上がさらに好ましく、９０質量％以上が特に好ましく、１００質量％であってもよい。
【００８５】
本発明の第二の態様において、（Ａ）〜（Ｃ）成分の合計含有量は、液体洗浄剤の総質量に対して、１０質量％以上である。液体洗浄剤中の（Ａ）〜（Ｃ）成分の合計含有量が１０質量％未満であると、充分な洗浄力が得られない。さらに、粘度を充分に高められない。液体洗浄剤中の（Ａ）〜（Ｃ）成分の合計含有量は、１０〜４０質量％が好ましく、１２〜３５質量％がより好ましく、１５〜２５質量％がさらに好ましい。液体洗浄剤中の（Ａ）〜（Ｃ）成分の合計含有量が前記の好ましい範囲であると、洗浄力及び希釈分散性が高められやすくなる。また、粘度を所望の範囲に調整しやすくなる。
本発明の第二の態様において、（Ａ）〜（Ｃ）成分の合計含有量は、界面活性剤の総質量に対して、５０質量％以上が好ましく、７０質量％以上がより好ましく、８０質量％以上がさらに好ましく、９０質量％以上が特に好ましく、１００質量％であってもよい。具体的には、５０〜１００質量％が好ましく、７０〜１００質量％がより好ましく、８０〜１００質量％がさらに好ましく、９０〜１００質量％が特に好ましい。
【００８６】
本発明の第四の態様において、（Ａ）成分と（Ｃ）成分との合計含有量（以下、「（Ａ＋Ｃ）合計含有量」ともいう）は、液体洗浄剤の総質量に対して、０．２〜１２質量％が好ましく、０．５〜８質量％がより好ましく、１〜５質量％がさらに好ましい。
（Ａ＋Ｃ）合計含有量が上記範囲内であると、洗浄力及び水分散性を向上しやすくなり、粘度を高められやすい。
（Ａ＋Ｃ）合計含有量は、界面活性剤の総質量に対して、０．５〜４０質量％が好ましく、３〜３０質量％がより好ましく、５〜２０質量％がさらに好ましい。
界面活性剤中の（Ａ＋Ｂ）合計含有量が上記範囲内であると、洗浄力及び水分散性を向上しやすくなり、粘度を高められやすい。
【００８７】
本発明の第四の態様において、（Ａ）〜（Ｃ）成分の合計含有量は、液体洗浄剤の総質量に対して、１０質量％以上が好ましく、１５質量％以上がより好ましい。
（Ａ）〜（Ｃ）成分の合計含有量が上記下限値以上であると、粘度を高められやすく、水分散性を向上しやすい。具体的には、１０〜１００質量％が好ましく、１５〜１００質量％がより好ましい。
（Ａ）〜（Ｃ）成分の合計含有量は、界面活性剤の総質量に対して、５０質量％以上が好ましく、７０質量％以上がより好ましく、８０質量％以上がさらに好ましく、９０質量％以上が特に好ましく、１００質量％であってもよい。具体的には、５０〜１００質量％が好ましく、７０〜１００質量＆がより好ましく、８０〜１００質量％がさらに好ましく、９０〜１００質量％が特に好ましい。
【００８８】
＜（Ｄ）成分：水溶性無機塩＞
（Ｄ）成分は、水溶性無機塩である。本発明の第二の態様における液体洗浄剤は、（Ａ）〜（Ｃ）成分とともに（Ｄ）成分を含有することで粘度が高められる。なお、水溶性無機塩とは、２５℃においてｐＨ３．０の水に対する溶解度が１０質量％以上［１０ｇ／１００ｇ-Ｈ２Ｏ］の無機塩をいう。
（Ｄ）成分としては、硫酸ナトリウム、塩化ナトリウム等のアルカリ金属塩；塩化マグネシウム、硫酸マグネシウム、硫酸水素マグネシウム、リン酸マグネシウム、リン酸水素マグネシウム、水酸化マグネシウム、塩化マグネシウム、塩基性炭酸マグネシウム等の水溶性のマグネシウム無機塩；水酸化カルシウム、炭酸カルシウム、炭酸水素カルシウム、硝酸カルシウム、塩化カルシウム、硫酸カルシウム、リン酸カルシウム等の水溶性のカルシウム無機塩；硝酸亜鉛、硫化亜鉛、硫酸亜鉛、塩化亜鉛、リン酸亜鉛、シアン化亜鉛、過塩素酸亜鉛等の水溶性の亜鉛塩等が挙げられる。
（Ｄ）成分としては、水溶性の無機二価金属塩が好ましく、水溶性の無機マグネシウム塩、水溶性の無機亜鉛塩がより好ましく、水溶性の無機マグネシウム塩がさらに好ましい。（Ｄ）成分としては、液体洗浄剤の粘度のさらなる向上を図る観点からは、硫酸マグネシウムが特に好ましい。
また、（Ｄ）成分としては、上記水溶性無機塩の水和物が用いられてもよい。
【００８９】
（Ｄ）成分は、１種単独で用いられてもよいし、２種以上が組み合わされて用いられてもよい。
本発明の第二の態様において、（Ｄ）成分の含有量は、液体洗浄剤の総質量に対して、０．０１〜８質量％が好ましく、０．０５〜６質量％がより好ましく、０．１〜４質量％がさらに好ましい。
また、本発明の第二の態様において、（Ｄ）成分の含有量は、液体洗浄剤の総質量に対して、０．０００８モル／Ｌ〜０．７モル／Ｌが好ましく、０．００４モル／Ｌ〜０．５モル／Ｌがより好ましく、０．００８〜０．３５モル／Ｌがさらに好ましい。
【００９０】
本発明の第二の態様において、（Ａ）成分／（Ｄ）成分で表される質量比［（Ｄ）成分の含有量に対する（Ａ）成分の含有量の質量割合、以下「Ａ／Ｄ比」ともいう。］は、０．１〜１５が好ましく、０．３〜１２がより好ましく、０．５〜１０がさらに好ましい。Ａ／Ｄ比が前記の好ましい範囲であると、粘度を所望の範囲に調整しやすくなる。
本発明の第二の態様において、（Ｃ）成分／（Ｄ）成分で表される質量比［（Ｄ）成分の含有量に対する（Ｃ）成分の含有量の質量割合、以下「Ｃ／Ｄ比」ともいう。］は、０．０５〜９が好ましく、０．１〜７が好ましく、０．２〜５がさらに好ましい。Ｃ／Ｄ比が前記の好ましい範囲であると、粘度を所望の範囲に調整しやすくなる。
本発明の第二の態様において、（Ｄ）成分／（（Ａ）成分＋（Ｂ）成分＋（Ｃ）成分）で表される質量比［（Ａ）〜（Ｃ）成分の合計含有量に対する（Ｄ）成分の含有量の質量割合、以下「Ｄ／（Ａ＋Ｂ＋Ｃ）比」ともいう。］は、０．００６〜０．２６が好ましく、０．００８〜０．２３がより好ましく、０．０１〜０．２１がさらに好ましい。Ｄ／（Ａ＋Ｂ＋Ｃ）比が前記の好ましい範囲であると、粘度を所望の範囲に調整しやすくなる。
なお、（Ｄ）成分が水和物の場合、上記（Ｄ）成分の含有量は、無水物換算の含有量を意味する。
【００９１】
本発明の第三の態様において、液体洗浄剤の総質量に対する（Ｄ）成分の含有量は、無水物換算で０．１〜４質量％が好ましく、０．３〜２．５質量％がより好ましい。（Ｄ）成分の含有量を上記範囲内とすることで、液体洗浄剤の粘度をより高めやすい。
【００９２】
＜（Ｅ）成分：グリセリン類、及びグリコール類からなる群から選択される少なくとも１種＞
（Ｅ）成分は、下記一般式（Ｅ１）で表される化合物（以下、（ｅ１）成分ということがある）と、下記一般式（Ｅ２）で表される化合物（以下、（ｅ２）成分ということがある）とから選ばれる１種以上である。液体洗浄剤は、（Ｅ）成分を含有することで、水への（Ｆ）成分の分散性を高め、洗浄対象物等が着色するのを良好に抑制できる。
【００９３】
ＨＯ（ＣＨ２ＣＨ（ＯＨ）ＣＨ２Ｏ）ｓＨ    ・・・（Ｅ１）
［式（Ｅ１）中、ｓは、１〜１０の数である。］
ＨＯ（ＣＨ２ＣＨ２Ｏ）ｔＨ    ・・・（Ｅ２）
［式（Ｅ２）中、ｔは、１〜２５の数である。］
【００９４】
式（Ｅ１）中、ｓは、１〜１０であり、１〜６が好ましく、１〜３がより好ましく、１又は２がさらに好ましい。ｓが上記範囲内であれば、洗浄対象物等が着色するのを良好に抑制できる。
【００９５】
（ｅ１）成分としては、例えば、グリセリン、ジグリセリン、トリグリセリン、テトラグリセリン、ヘキサグリセリン、オクタグリセリン、デカグリセリン等が挙げられる。これらの中でも、（ｅ１）成分としては、グリセリン、ジグリセリン、トリグリセリン、テトラグリセリン、ヘキサグリセリンが好ましく、グリセリン、ジグリセリン、トリグリセリン、テトラグリセリンがより好ましく、グリセリン、ジグリセリンがさらに好ましい。
これらの（ｅ１）成分であれば、洗浄対象物等が着色するのをより良好に抑制できる。
（ｅ１）成分は、１種単独で用いられてもよいし、２種以上が組み合わされて用いられてもよい。
【００９６】
式（Ｅ２）中、ｔは、１〜２５であり、１〜１５が好ましく、１〜６がより好ましい。
ｔが上記範囲内であれば、洗浄対象物等が着色するのをより良好に抑制できる。
【００９７】
（ｅ２）成分としては、重量平均分子量が１００〜１０００のポリエチレングリコールが挙げられ、ポリエチレングリコール１００（ＰＥＧ１００）、ポリエチレングリコール３００（ＰＥＧ３００）、ポリエチレングリコール６００（ＰＥＧ６００）、ポリエチレングリコール８００（ＰＥＧ８００）、ポリエチレングリコール１０００（ＰＥＧ１０００）等が挙げられる。これらの中でも、（ｅ２）成分としては、ＰＥＧ１００、ＰＥＧ３００、ＰＥＧ６００が好ましく、ＰＥＧ１００、ＰＥＧ３００がより好ましい。
（ｅ２）成分は、１種単独で用いられてもよいし、２種以上が組み合わされて用いられてもよい。
ここで重量平均分子量は、ポリエチレングリコールを標準物質とするゲルパーミエーションクロマトグラフィーによる測定値である。
【００９８】
上述した（Ｅ）成分は、１種単独で用いられてもよいし、２種以上が組み合わされて用いられてもよい。
【００９９】
本発明の第三の態様において、液体洗浄剤の総質量に対する（Ｅ）成分の含有量は、（Ｅ）成分の種類等を勘案して適宜決定され、例えば、１〜２０質量％が好ましく、３〜１５質量％がより好ましく、４〜８質量％がさらに好ましい。（Ｅ）成分の含有量が上記下限値以上であれば、洗浄対象物等が着色するのをより良好に抑制できる。（Ｅ）成分の含有量が上記上限値以下であれば、液体洗浄剤の粘度を高めやすい。
【０１００】
本発明の第三の態様における液体洗浄剤中、（Ｅ）成分／（Ａ）成分で表される質量比（以下、Ｅ／Ａ比ということがある）は、０．５〜１０が好ましく、１〜８がより好ましく、１〜５がさらに好ましい。Ｅ／Ａ比が上記下限値以上であれば、洗浄対象物等が着色するのをより良好に抑制できる。Ｅ／Ａ比が上記上限値以下であれば、液体洗浄剤の粘度をより高めやすい。
【０１０１】
＜（Ｆ）成分：水溶性色素＞
（Ｆ）成分は、水溶性色素であり、いわゆる染料である。水溶性色素は、２５℃、ｐＨ７の水に対し、０．００１質量％以上溶解する色素である。
（Ｆ）成分としては、例えば、赤色２号（ＣＩ  Ａｃｉｄ  Ｒｅｄ  ２７）、赤色３号（ＣＩ  Ａｃｉｄ  Ｒｅｄ  ５１）、赤色２２５号（ＣＩ  Ｓｏｌｖ．  Ｒｅｄ  ２３）、赤色１０２号（ＣＩ  Ａｃｉｄ  Ｒｅｄ  １８）、赤色１０４号（ＣＩ  Ａｃｉｄ  Ｒｅｄ  ９２）、赤色１０５号（ＣＩ  Ａｃｉｄ  Ｒｅｄ  ９４）、赤色１０６号（ＣＩ  Ａｃｉｄ  Ｒｅｄ  ５２）、赤色２０１号（ＣＩ  Ｐｉｇ．  Ｒｅｄ  ５７−１）、赤色２１３号（ＣＩ  Ｂａｓｉｃ  Ｖｉｏｌｅｔ  １０）、赤色２２６号（ＣＩ  Ｖａｔ  Ｒｅｄ  １）、赤色２２７号（ＣＩ  Ａｃｉｄ  Ｒｅｄ  ３３）、赤色２３０号（ＣＩ  Ａｃｉｄ  Ｒｅｄ  ８７）、赤色４０１号（ＣＩ  Ａｃｉｄ  Ｖｉｏｌｅｔ  ９）、赤色５０４号（ＣＩ  Ｆｏｏｄ  Ｒｅｄ  １）、黄色４号（ＣＩ  Ａｃｉｄ  Ｙｅｌｌｏｗ  ２３）、黄色５号（ＣＩ  Ｆｏｏｄ  Ｙｅｌｌｏｗ  ３）、黄色２０２号（ＣＩ  Ａｃｉｄ  Ｙｅｌｌｏｗ  ７３）、黄色２０３号（ＣＩ  Ａｃｉｄ  Ｙｅｌｌｏｗ  ３）、黄色４０６号（ＣＩ  Ａｃｉｄ  Ｙｅｌｌｏｗ  ３６）、黄色４０７号（ＣＩ  Ａｃｉｄ  Ｙｅｌｌｏｗ  １１）、橙色２０６号（ＣＩ  Ｓｏｌｖ．  Ｒｅｄ  ７３）、橙色２０７号（ＣＩ  Ａｃｉｄ  Ｒｅｄ  ９５）、橙色４０２号（ＣＩ  Ａｃｉｄ  Ｏｒａｎｇｅ  ２０）、青色１号（ＣＩ  Ｆｏｏｄ  Ｂｌｕｅ  ２）、青色２号（ＣＩ  Ａｃｉｄ  Ｂｌｕｅ  ７４）、青２０３号（ＣＩ  Ａｃｉｄ  Ｂｌｕｅ  ５）、青２０５号（ＣＩ  Ａｃｉｄ  Ｂｌｕｅ  ９）、青４０３号（ＣＩ  Ｓｏｌｖ．  Ｂｌｕｅ  ６３）、緑色３号（ＣＩ  Ｆｏｏｄ  Ｇｒｅｅｎ）、緑色２０１号（ＣＩ  Ａｃｉｄ  Ｇｒｅｅｎ  ２５）、緑色２０４号（ＣＩ  Ｓｏｌｖ．  Ｇｒｅｅｎ  ７）、緑色２０５号（ＣＩ  Ａｃｉｄ  Ｇｒｅｅｎ  ５）、緑色４０１号（ＣＩ  Ａｃｉｄ  Ｇｒｅｅｎ  １）、緑色４０２号（ＣＩ  Ａｃｉｄ  Ｇｒｅｅｎ  ３）等が挙げられる。なお、カッコ内には、カラーインデックス（Ｃｏｌｏｕｒ  Ｉｎｄｅｘ  Ｉｎｔｅｒｎａｔｉｏｎａｌ，略称ＣＩ）を記載した。
これらの（Ｆ）成分は、１種単独で用いられてもよいし、２種以上が組み合わされて用いられてもよい。
【０１０２】
本発明の第三の態様における液体洗浄剤中の（Ｆ）成分の含有量は、（Ｆ）成分の種類や、液体洗浄剤に求める色調等を勘案して決定される。液体洗浄剤の総質量に対する（Ｆ）成分の含有量は、例えば、０．０００５〜０．０５質量％が好ましく、０．００１〜０．０１質量％がより好ましい。
【０１０３】
＜（Ｇ）成分：ヒドロキシ酸、ヒドロキシ酸塩、芳香族カルボン酸、及び芳香族カルボン酸塩からなる群から選択される少なくとも一種の化合物＞
（Ｇ）成分は、ヒドロキシ酸、ヒドロキシ酸塩、芳香族カルボン酸、及び芳香族カルボン酸塩からなる群から選択される少なくとも一種の化合物である。
ヒドロキシ酸とは、分子内に水酸基及びカルボキシル基を有する化合物のことである。
ヒドロキシ酸としては、乳酸、サリチル酸、クエン酸、酒石酸、ロイシン酸、リンゴ酸、リシノール酸、リシネライジン酸、メバロン酸、ヒドロキシ酪酸、パントイン酸、タルトロン酸、セレブロン酸、シトラマル酸、シキミ酸、グリセリン酸、グリコール酸、キナ酸、イソクエン酸、γ−ヒドロキシ酪酸、３−ヒドロキシ酪酸、２−ヒドロキシ酪酸、没食子酸、レソルシル酸、メリロト酸、マンデル酸、ベンジル酸、フロレト酸、プロトカテク酸、フェルラ酸、ピロカテク酸、バニリン酸、シリング酸、シナピン酸、コーヒー酸、ゲンチジン酸、クレオソート酸、クレソチン酸、クマル酸、オルセリン酸、ウンベル酸、アトロラクチン酸等が挙げられる。中でも、乳酸、サリチル酸、クエン酸が好ましく、より好ましくは乳酸である。
芳香族カルボン酸とは、芳香族炭化水素基にカルボキシル基が結合した化合物のことである（ただしヒドロキシ酸に該当するものは除く）。
芳香族カルボン酸としては、安息香酸、メチル安息香酸、キシリル酸、メリト酸、フタル酸、イソフタル酸、テレフタル酸、ケイ皮酸、メシト酸、クミン酸、フェニル酢酸、アトロパ酸、ヒドロケイ皮酸、メシチレン酸、ジフェン酸、ピロメリト酸、ヘメリト酸、ジュリル酸、α−イソジュリル酸、γ−イソジュリル酸、プレーニチル酸、クム酸、ウビト酸、ヘミメリト酸、トリメリト酸、トリメシン酸、メロファン酸、アニス酸、アサロン酸等が挙げられる。なかでも安息香酸が好ましい。
ヒドロキシ酸塩としては、上記ヒドロキシ酸のアルカリ金属塩等が挙げられる。
芳香族カルボン酸塩としては、上記芳香族カルボン酸のアルカリ金属塩等が挙げられる。
【０１０４】
（Ｇ）成分は、１種が単独で用いられてもよいし、２種以上が組み合わされて用いられてもよい。
本発明の第四の態様において、（Ｇ）成分の含有量は、液体洗浄剤の総質量に対し、０．５〜７．０質量である。
（Ｇ）成分の含有量が前記上限値以下であると、粘度を高められやすい。
（Ｇ）成分の含有量が上記下限値以上であると、除菌活性を向上しやすい。
【０１０５】
本発明の第四の態様において、（Ａ）成分／（Ｇ）成分で表される質量比［（Ｇ）成分の含有量に対する（Ａ）成分の含有量の質量割合、以下、「Ａ／Ｇ比」ともいう。］は、０．１〜１０が好ましく、０．２〜４がより好ましく、０．４〜２がさらに好ましい。
Ａ／Ｇ比が上記範囲内であると、粘度を高められやすい。
（Ｃ）成分／（Ｇ）成分で表される質量比［（Ｇ）成分の含有量に対する（Ｃ）成分の含有量の質量割合、以下、「Ｃ／Ｇ比」ともいう。］は、０．１〜１０が好ましく、０．１〜２が好ましく、０．２〜２がさらに好ましい。
Ｃ／Ｇ比が上記範囲内であると、粘度を高められやすい。
【０１０６】
本発明の第四の態様において、（Ｇ）成分／（Ａ）〜（Ｃ）成分の合計質量で表される質量比（以下、「Ｇ／（Ａ＋Ｂ＋Ｃ）比」ともいう）は、０．０３〜０．５が好ましい。
Ｇ／（Ａ＋Ｂ＋Ｃ）比が上記数値範囲内であることにより、粘度を高められやすい。
（Ａ）成分、（Ｂ）成分、及び（Ｃ）成分の合計は、液体洗浄剤の総質量に対し、１００質量％を超えない。
【０１０７】
＜水＞
本発明の液体洗浄剤は、製造時のハンドリングのし易さ、使用する際の水への溶解性等の点から、水を含有することが好ましい。
本発明の第一の態様、及び第二の態様において、液体洗浄剤中の水の含有量は、特に限定されないが、液体洗浄剤中５０〜９５質量％が好ましく、６０〜９０質量％がより好ましい。
本発明の第三の態様において、液体洗浄剤の総質量に対する水の含有量は、例えば、１０〜９５質量％が好ましく、５０〜９５質量％がより好ましく、６０〜９０質量％がさらに好ましい。
本発明の第四の態様において、水の含有量は、液体洗浄剤の総質量に対し、２０〜９０質量％が好ましく、５０〜８５質量％がより好ましい。
【０１０８】
＜任意成分＞
本発明の液体洗浄剤には、本発明の効果を損なわない範囲で必要に応じて、上述した成分以外の任意成分が配合されてもよい。
任意成分としては、特に限定されず、通常、液体洗浄剤に配合される成分が挙げられ、例えば（Ａ）〜（Ｃ）成分以外の界面活性剤、ハイドロトロープ剤、ｐＨ調整剤、漂白成分、金属捕捉成分、ラジカルトラップ剤、香料などが挙げられる。
【０１０９】
（Ａ）〜（Ｃ）成分以外の界面活性剤としては、例えばノニオン界面活性剤、カチオン界面活性剤が挙げられる。ノニオン界面活性剤としては、特に限定されず、公知のものが用いられる。
ノニオン界面活性剤としては、ポリオキシアルキレン付加型非イオン界面活性剤、アルキルグリコシド、ソルビタン脂肪酸エステル等が挙げられる。
【０１１０】
ポリオキシアルキレン付加型非イオン界面活性剤としては、例えば下記一般式（Ｈ１）で表される化合物が挙げられる。
Ｒ６１−Ｏ−（Ｒ６２Ｏ）ｐ−Ｈ  ・・・（Ｈ１）
【０１１１】
式（Ｈ１）中、Ｒ６１は炭素数８〜１８の直鎖又は分岐鎖の炭化水素基、Ｒ６２は炭素数１〜４のアルキレン基である。ｐは、（Ｒ６２Ｏ）の平均繰り返し数であり、１〜２０の数である。
Ｒ６１の炭素数は、１０〜１８が好ましく、１０〜１６がより好ましく、１０〜１４がさらに好ましい。Ｒ６１の炭化水素基としては、アルキル基又はアルケニル基が好ましい。  
Ｒ６２は炭素数２〜３のアルキレン基が好ましく、炭素数２のアルキレン基がより好ましい。即ち、（Ｒ６２Ｏ）としては、エチレンオキシ基、プロピレンオキシ基のいずれかが好ましく、エチレンオキシ基がより好ましい。また、（Ｒ６２Ｏ）としては、エチレンオキシ基、プロピレンオキシ基が混在してもよい。エチレンオキシ基、プロピレンオキシ基が混在する場合、これらはランダム状に混在してもよく、ブロック状に混在してもよい。また、「Ｒ６１−Ｏ−」にエチレンオキシ基が結合しても、プロピレンオキシ基が結合してもよい。
ｐは、５〜２０の数が好ましく、５〜１５の数がより好ましい。
【０１１２】
カチオン界面活性剤としては、例えば、ジデシルジメチルアンモニウムクロライド、ジデシルジメチルアンモニウムメトサルフェート、ジステアリルジメチルアンモニウムクロライド、ジオクチルジメチルアンモニウムクロライド、ジステアリルジヒドロキシエチルアンモニウムクロライド、ジ牛脂アルキルジメチルアンモニウムクロライド、ジ（ステアロイルオキシエチル）ジメチルアンモニウムクロライド、ジ（オレオイルオキシエチル）ジメチルアンモニウムクロライド、ジ（パルミトイルオキシエチル）ジメチルアンモニウムメトサルフェート、ジ（ステアロイルオキシイソプロピル）ジメチルアンモニウムクロライド、ジ（オレオイルオキシイソプロピル）ジメチルアンモニウムクロライド、ジ（オレオイルオキシブチル）ジメチルアンモニウムクロライド、ジ（ステアロイルオキシエチル）メチルヒドロキシエチルアンモニウムメトサルフェート、トリ（ステアロイルオキシエチル）メチルメトサルフェート等が挙げられる。なお、「牛脂アルキル」基の炭素数は１４〜１８である。
【０１１３】
ノニオン界面活性剤が配合される場合、液体洗浄剤中のノニオン界面活性剤の含有量は、液体洗浄剤の総質量に対して、０．１〜１０質量％が好ましく、０．１〜５質量％がより好ましい。
また、本発明の第一の態様において、界面活性剤の総質量は、液体洗浄剤の総質量に対して、１０〜５０質量％が好ましく、１５〜４０質量％がより好ましく、１５〜３５質量％がさらに好ましく、１５〜３０質量％が特に好ましい。
また、本発明の第二の態様において、界面活性剤の総質量は、液体洗浄剤の総質量に対して、１０〜５０質量％が好ましく、１０〜４０質量％がより好ましく、１２〜３５質量％がさらに好ましく、１５〜２５質量％が特に好ましい。
本発明の第三の態様において、液体洗浄剤の総質量に対する界面活性剤総量は、例えば、１０〜４０質量％が好ましく、１０〜３０質量％がより好ましい。
界面活性剤総量が上記下限値以上であれば、液体洗浄剤の粘度をより高めやすい。界面活性剤総量が上記上限値以下であれば、界面活性剤以外の成分（例えば、（Ｄ）〜（Ｆ）成分等）の配合量を適切に調整しやすい。
本発明の第四の態様において、界面活性剤の総質量は、液体洗浄剤の総質量に対して、１０〜５０質量％が好ましく、１５〜４０質量％がより好ましく、１５〜３５質量％がさらに好ましく、１５〜３０質量％が特に好ましい。
【０１１４】
ハイドロトロープ剤としては、例えば、炭素数２〜４の１価アルコール、グリセリン、炭素数４〜１０のアルキル基を有するグリセリルエーテル、トルエンスルホン酸、トルエンスルホン酸塩、クメンスルホン酸、クメンスルホン酸塩、安息香酸、安息香酸塩などが挙げられる。
炭素数２〜４の１価アルコールとしては、エタノール、ｎ−プロパノール、イソプロパノール、ノルマルブタノール、セカンダリーブタノール、ターシャリーブタノール等が挙げられる。
炭素数４〜１０のグリセリルエーテルとしては、ヘキシルグリセリルエーテル等が挙げられる。
ハイドロトロープ剤としては、液体洗浄剤中の（Ａ）〜（Ｃ）成分の溶解安定性及び使用感の点から、炭素数２〜４の１価アルコール、トルエンスルホン酸又はその塩が好ましく、エタノール、パラトルエンスルホン酸塩がより好ましい。
ハイドロトロープ剤は、いずれか１種が単独で用いられてもよいし、２種以上が組み合わされて用いられてもよい。
ハイドロトロープ剤が配合される場合、液体洗浄剤中のハイドロトロープ剤の含有量は、液体洗浄剤の総質量に対して、０．１〜１０質量％が好ましく、０．１〜５質量％がより好ましく、０．３〜１質量％がさらに好ましい。
【０１１５】
ｐＨ調整剤としては、塩酸、硫酸、リン酸、グリコール酸、クエン酸、水酸化ナトリウム、水酸化カリウム、モノエタノールアミン、ジエタノールアミン、トリエタノールアミン等が挙げられる。
ｐＨ調整剤は、いずれか１種が単独で用いられてもよいし、２種以上が組み合わされて用いられてもよい。
【０１１６】
本発明の第一の態様、第二の態様、及び第三の態様において、液体洗浄剤における２５℃のｐＨは、特に限定されず、例えば、３〜６が好ましく、４〜５．５がより好ましい。
ｐＨが３未満であると、希釈分散性が損なわれる。また、粘度が所望の範囲よりも高くなりすぎて液体洗浄剤の使用性が損なわれるおそれがある。ｐＨが６超であると、粘度が充分に高められない。
液体洗浄剤（２５℃に調温）のｐＨは、ｐＨメーターを用い、ＪＩＳ  Ｋ３３６２−１９９８に準拠した方法により測定される値を示す。
【０１１７】
本発明の第四の態様において、液体洗浄剤における２５℃のｐＨは、３．０〜５．５であり、４〜５が好ましい。
ｐＨを上記数値範囲内とすることにより、水分散性を向上しやすく、除菌活性を向上しやすい。
【０１１８】
本発明の第二の態様、第四の態様において、液体洗浄剤の２５℃における粘度は、１０００ｍＰａ・ｓ以上であり、２０００ｍＰａ・ｓ以上が好ましい。液体洗浄剤の２５℃における粘度が前記下限値以上であると、使用者が液体洗浄剤の粘度の高さを実感しやすく嗜好性が高められる。
また、本発明の第二の態様、及び第四の態様において、液体洗浄剤の２５℃における粘度の上限は、特に限定されないが、１００００ｍＰａ・ｓ以下が好ましく、５０００ｍＰａ・ｓ以下がより好ましく、４０００ｍＰａ・ｓ以下がさらに好ましく、３０００ｍＰａ・ｓ以下が特に好ましい。液体洗浄剤の２５℃における粘度が前記上限値以下であると、液体洗浄剤の希釈分散性が高められやすくなる。また、例えば液体洗浄剤を容器から注出しやすくなり使用性が高められる。
液体洗浄剤の２５℃における粘度は、１０００〜１００００ｍＰａ・ｓが好ましく、１０００〜５０００ｍＰａ・ｓがより好ましく、２０００〜４０００ｍＰａ・ｓがさらに好ましく、２０００〜３０００ｍＰａ・ｓが特に好ましい。
なお、本発明における液体洗浄剤の２５℃における粘度は、芝浦セムテック社製の粘度測定装置を用いて、下記測定条件で測定された値である。測定サンプルとしては、２５℃の恒温槽に２時間以上保管して２５℃に調温した液体洗浄剤を用いた。
≪測定条件≫
・ローター：３番ローター（４０００ｍＰａ・ｓ未満の場合）又は４番ローター（４０００ｍＰａ・ｓ以上の場合）。
・回転数：３０ｒｐｍ。
・測定温度：２５℃。
・粘度の読み取り：ローターの回転開始３０秒後。
【０１１９】
本発明の第三の態様において、液体洗浄剤の粘度は、特に限定されないが、例えば、１００ｍＰａ・ｓ以上が好ましく、５００ｍＰａ・ｓ以上がより好ましく、１０００ｍＰａ・ｓ以上がさらに好ましい。粘度が上記下限値以上であれば、使用者が粘度の高さを実感しやすい。
液体洗浄剤の粘度の上限値は、例えば、１００００ｍＰａ・ｓ以下が好ましく、５０００ｍＰｓ・ｓ以下がより好ましく、３０００ｍＰａ・ｓ以下がさらに好ましい。粘度が上記上限値以下であれば、液体洗浄剤の流動性が失われにくい。
液体洗浄剤の粘度は、例えば、芝浦セムテック社製の粘度測定装置を用いて、上記測定条件で測定された値である。
【０１２０】
（液体洗浄剤の製造方法）
本発明の第一の態様における液体洗浄剤は、例えば上記（Ａ）成分〜（Ｃ）成分と、必要に応じて任意成分とを、水に溶解することにより製造できる。
本発明の第二の態様における液体洗浄剤は、例えば上記（Ａ）成分〜（Ｄ）成分及び必要に応じて任意成分を水に加え、これを撹拌することにより製造される。
本発明の第三の態様における液体洗浄剤は、例えば、液体洗浄剤は、（Ａ）〜（Ｆ）成分及び必要に応じて任意成分を水に加え、これを攪拌して製造される。
本発明の第四の態様における液体洗浄剤は、例えば上記（Ａ）〜（Ｃ）成分、及び（Ｇ）成分と、必要に応じて任意成分とを、水に溶解することにより製造できる。
【０１２１】
本発明の液体洗浄剤は、例えば、食器等を洗浄対象とする液体洗浄剤、衣料等を洗浄対象とする繊維製品用液体洗浄剤、便器、壁、浴室等を洗浄対象とする硬質表面用液体洗浄剤、皮膚や毛髪等を洗浄対象とするボディーソープ、ハンドソープ、シャンプー等の人体用液体洗浄剤等として用いることができる。なかでも、食器用液体洗浄剤として好適に用いられる。
【０１２２】
本発明の液体洗浄剤は、洗浄力に優れるため、非浸漬法及び浸漬法のいずれの洗浄方法において用いられてもよい。本発明の液体洗浄剤は、希釈分散性に優れるため、浸漬法用による洗浄が行われる液体洗浄剤として特に好適である。
本発明の液体洗浄剤の使用方法としては、洗浄剤を浸漬法で使用する場合は、１Ｌの水に液体洗浄剤を５〜１５ｇ溶解させて洗浄液を調製する工程、及びこの洗浄液に食器等を浸漬しながらスポンジ等で擦り洗いする工程を含む使用方法が挙げられる。
また、洗浄剤を非浸漬法で使用する場合は、スポンジ等に洗浄剤を１〜１０ｇ取り、食器を擦り洗いする工程、を含む使用方法が挙げられる。
【０１２３】
以上、説明したとおり、本発明の第一の態様における液体洗浄剤は、（Ａ）成分〜（Ｃ）成分を含有し、Ａ／Ｃ比及び（Ａ＋Ｂ）合計含有量が特定の範囲であるため、洗浄力が高められ、かつ、希釈分散性に優れる。
【０１２４】
以上、説明したとおり、本発明の第二の態様における液体洗浄剤は、（Ａ）成分〜（Ｄ）成分を含有し、（Ａ）〜（Ｃ）成分の合計含有量が特定の範囲であり、２５℃におけるｐＨ値及び粘度が特定の範囲であるため、洗浄力及び希釈分散性が高められ、かつ、粘度が高められる。
【０１２５】
上述の通り、本発明の第三の態様における液体洗浄剤は、（Ｂ）〜（Ｄ）成分を含有するため、粘度を高められる。加えて、本発明の液体洗浄剤は、（Ａ）成分、（Ｅ）成分を含有するため、（Ｆ）成分による洗浄対象物等の着色を良好に抑制できる。
【０１２６】
本発明の第四の態様における液体洗浄剤は、（Ａ）〜（Ｃ）成分、及び（Ｇ）成分を含有し、ｐＨが特定の範囲内であり、（Ｇ）成分の含有量が特定の範囲内であることにより、高粘度でありながら水分散性に優れ、かつ優れた洗浄力及び除菌活性を有する。
本発明の第四の態様における液体洗浄剤は、高粘度でありながら水分散性に優れるため、非浸漬法及び浸漬法のいずれの洗浄方法において用いられる場合でも、優れた洗浄力を発揮する。本発明の第四の態様における液体洗浄剤は、水分散性に優れるため、浸漬法用として特に好適である。また、特定の含有量で（Ｇ）成分を含有し、かつｐＨを特定の範囲とすることにより除菌活性に優れる。
【０１２７】
本発明の第一の態様における液体洗浄剤は、例えば以下の態様であってよい。
［１］（Ａ）成分：下記一般式（Ａ１）で表され、かつ、下記一般式（Ａ２）で表されるα−スルホ脂肪酸アルキルエステル塩を３０質量％以上含有するα−スルホ脂肪酸アルキルエステル塩と、（Ｂ）成分：前記（Ａ）成分以外のアニオン界面活性剤と、（Ｃ）成分：ベタイン型両性界面活性剤と、を含有し、前記（Ａ）成分／前記（Ｃ）成分で表される質量比が０．５〜８であり、前記（Ａ）成分と前記（Ｃ）成分との合計含有量が１０質量％以下である、液体洗浄剤。
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。
［２］前記（Ａ）成分／（前記（Ａ）成分＋前記（Ｂ）成分）で表される質量比が０．１０〜０．５０である、［１］に記載の液体洗浄剤。
［３］前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、［１］又は［２］に記載の液体洗浄剤。
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。
［４］前記（Ｂ）成分が、前記（ｂ１）成分及び前記（ｂ２）成分を含有し、前記（ｂ１）成分／前記（ｂ２）成分で表される質量比が０．６〜１．５である、［３］に記載の液体洗浄剤。
［５］前記（Ｃ）成分が、一般式（Ｃ１）で表されるアルキル（アルケニル）アミドカルボベタイン型両性界面活性剤及び一般式（Ｃ３）で表されるアルキル（アルケニル）アミドスルホベタイン型両性界面活性剤より選ばれる少なくとも１種である、［１］〜［４］に記載の液体洗浄剤。
［６］前記（Ａ）成分の含有量が、液体洗浄剤の総質量に対して、０．１〜７質量％である、［１］〜［５］に記載の液体洗浄剤。
［７］前記（Ａ）成分の含有量が、界面活性剤の総質量に対して、０．５〜３５質量％である、［１］〜［５］に記載の液体洗浄剤。
［８］前記（Ｃ）成分の含有量が、液体洗浄剤の総質量に対して、０．１〜５質量％である、［１］〜［７］に記載の液体洗浄剤。
［９］前記（Ｃ）成分の含有量が、界面活性剤の総質量に対して、０．４〜２０質量％である、［１］〜［７］に記載の液体洗浄剤。
【０１２８】
本発明の第二の態様における液体洗浄剤は、例えば以下の態様であってよい。
［１］（Ａ）成分：下記一般式（Ａ１）で表され、かつ、下記一般式（Ａ２）で表されるα−スルホ脂肪酸アルキルエステル塩を３０質量％以上含有するα−スルホ脂肪酸アルキルエステル塩と、（Ｂ）成分：前記（Ａ）成分以外のアニオン界面活性剤と、（Ｃ）成分：ベタイン型両性界面活性剤と、（Ｄ）成分：水溶性無機塩と、を含有し、前記（Ａ）〜（Ｃ）成分の合計含有量が１０質量％以上であり、２５℃におけるｐＨが３〜６であり、かつ、２５℃における粘度が１０００ｍＰａ・ｓ以上である、液体洗浄剤。
Ｒ１１−ＣＨ（ＳＯ３Ｍ）−ＣＯＯＲ１２    ・・・（Ａ１）
［式（Ａ１）中、Ｒ１１は、炭素数６〜２２の炭化水素基であり、Ｒ１２は、炭素数１〜３のアルキル基であり、Ｍは、対イオンである。］
Ｒ１３−ＣＨ（ＳＯ３Ｍ）−ＣＯＯＲ１４    ・・・（Ａ２）
［式（Ａ２）中、Ｒ１３は、炭素数１４〜１６の炭化水素基であり、Ｒ１４は、炭素数１〜３のアルキル基であり、Ｍは、対イオンである。］
［２］前記（Ａ）成分／前記（Ｃ）成分で表される質量比が０．５〜８である、［１］に記載の液体洗浄剤。
［３］前記（Ｃ）成分がアルキル（アルケニル）アミドベタイン型両性界面活性剤である、［１］又は［２］に記載の液体洗浄剤。
［４］前記（Ｂ）成分が、直鎖アルキルベンゼンスルホン酸塩（ｂ１）及び下記一般式（Ｂ２）で表される化合物（ｂ２）からなる群より選ばれる少なくとも１種を含む、［１］〜［３］のいずれか一項に記載の液体洗浄剤。
Ｒ２１−Ｏ−［（ＰＯ）ｍ（ＥＯ）ｎ］−ＳＯ３Ｚ  ・・・（Ｂ２）
［式（Ｂ２）中、Ｒ２１は、炭素数８〜１８の直鎖もしくは分岐鎖のアルキル基又は炭素数８〜１８の直鎖もしくは分岐鎖のアルケニル基であり、Ｚは、対イオンである。ＰＯは、プロピレンオキシ基、ＥＯは、エチレンオキシ基を表し、ｍは、（ＰＯ）の平均繰り返し数であり、０≦ｍ＜１の数であり、ｎは、（ＥＯ）の平均繰り返し数であり、０≦ｎ≦４の数である。ｍ及びｎが０超の場合、［（ＰＯ）ｍ（ＥＯ）ｎ］におけるＥＯとＰＯは、ブロック状に配列しても、ランダム状に配列してもよい。
［５］前記（Ａ）成分の含有量が、液体洗浄剤の総質量に対して、０．１〜７質量％である、［１］〜［４］に記載の液体洗浄剤。
［６］前記（Ｃ）成分の含有量が、液体洗浄剤の総質量に対して、０．１〜５質量％である、［１］〜［５］に記載の液体洗浄剤。
［７］前記（Ｄ）成分の含有量が、液体洗浄剤の総質量に対して、０．０１〜８質量％である、［１］〜［６］に記載の液体洗浄剤。
［８］前記（Ａ）成分／前記（Ｃ）成分で表される質量比が０．５〜８．０である、［１］〜［７］に記載の液体洗浄剤。
［９］前記（Ａ）成分／前記（Ｄ）成分で表される質量比が０．１〜１５である、［１］〜［８］に記載の液体洗浄剤。
【０１２９】
本発明の第四の態様における液体洗浄剤は、（Ａ）成分、（Ｂ）成分、（Ｃ）成分、及び（Ｄ）成分を含み、（Ａ）成分が（Ａ２）成分を、（Ａ）成分の総質量に対し、１００質量％含み、（Ｂ）成分が（Ｂ１）成分及び（Ｂ２）成分からなる群から選ばれる少なくとも１種のアニオン性界面活性剤であり、（Ｃ）成分が（Ｃ１）成分であり、（Ｄ）成分が乳酸、サリチル酸、クエン酸、及び安息香酸からなる群から選択される少なくとも一種の化合物であることが好ましい。
【実施例】
【０１３０】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。【０１３１】
＜（Ａ）成分＞
Ａ−１：ＭＩＺＵＬＡＮ  ＦＬ−８０（商品名）、ライオンエコケミカルズ社製。式（Ａ２）中、Ｒ１３が炭素数１４の直鎖アルキル基、Ｒ１４がメチル基、ＭがＮａであるα−ＳＦ塩（Ｃ１６ＭＥＳ）と、Ｒ１３が炭素数１６の直鎖アルキル基、Ｒ１４がメチル基、ＭがＮａであるα−ＳＦ塩（Ｃ１８ＭＥＳ）との混合物（Ｃ１６−Ｃ１８ＭＥＳ）。Ａ−１は、Ｃ１６ＭＥＳ：Ｃ１８ＭＥＳ（質量比）＝８０：２０である。
Ａ−２：ラウリン酸メチルのスルホン化物のナトリウム塩。式（Ａ１）中、Ｒ１１が炭素数１０の直鎖アルキル基、Ｒ１２がメチル基、ＭがＮａであるα−ＳＦ塩（Ｃ１２ＭＥＳ）。下記合成方法により合成されたもの。【０１３２】
［Ａ−２の合成方法］
ラウリン酸メチルエステル（ライオン株式会社製の商品名パステルＭ−１２）１ｋｇ（４．７ｍｏｌ）を容量３Ｌの反応器に入れた。無水硫酸（日曹金属化学株式会社製「日曹サルファン」）４４９ｇ（５．６ｍｏｌ）を加熱してガス化し、ガス化された無水硫酸を開放系で窒素フローにより流し込んで、ラウリン酸メチルエステルをスルホン化した。反応温度を８０℃、無水硫酸の供給速度を１０ｇ／分とした。その後、８０℃で３０分間熟成反応を行い、α−スルホ脂肪酸メチルエステル（スルホン酸）を得た。得られたスルホン酸に対して、メタノール（関東化学株式会社製）２０質量％（２９０ｇ）と、Ｈ２Ｏ２を純分で２質量％（３５質量％Ｈ２Ｏ２（関東化学株式会社製）として８３ｇ）添加した。その後、８０℃で６０分間反応させることによりエステル化と漂白を行い、漂白酸を得た。得られた漂白酸をＮａＯＨ水溶液でｐＨ７．０に調整し、反応溶媒を減圧下で留去した。イソプロパノールを加え、共沸しながら水を留去した。残渣をエタノール／水＝９／１（体積比）で６０℃に加温溶解し、不溶物を除去した。ろ液を５℃に冷却して再結晶した後、析出物を濾別、真空乾燥することでα−スルホラウリン酸メチルエステルナトリウム塩（Ａ−２）を得た。【０１３３】
＜（Ｂ）成分＞
Ｂ１−１：直鎖アルキル（炭素数１０〜１４）ベンゼンスルホン酸ナトリウム（ＬＡＳ）、商品名「ライポンＬＳ―２５０」、ライオン株式会社製。
Ｂ２−１：ラウリル硫酸ナトリウム（ＳＬＳ）、商品名「サンノールＬＭ−１１３０」、ライオン株式会社製。
Ｂ２−２：ポリオキシエチレンアルキル（Ｃ１２〜１４）エーテル硫酸ナトリウム（ＡＥＳ、エチレンオキシドの平均付加モル数２）、商品名「シノリンＳＰＥ−１２５０」、新日本理化株式会社製。【０１３４】
＜（Ｃ）成分＞
Ｃ−１：ヤシ油脂肪酸アミドプロピルジメチルアミノ酢酸ベタイン、商品名「Ｔｅｇｏ  Ｂｅｔａｉｎ  Ｌ７」、Ｅｖｏｎｉｋ社製。、式（Ｃ１）中、Ｒ３１が炭素数８〜１８の直鎖アルキル基、Ｒ３２がプロピレン基、Ｒ３３がメチル基、Ｒ３４がメチル基、Ｒ３５がメチレン基の化合物。
Ｃ−２：ラウリルジメチルアミノ酢酸ベタイン、商品名「ＮＩＫＫＯＬ  ＡＭ−３０１」、日光ケミカルズ株式会社製。【０１３５】
＜（Ｄ）成分＞
Ｄ−１：硫酸マグネシウム、商品名「硫酸マグネシウム七水和物」、純正化学株式会社製。
Ｄ−２：ＺｎＳＯ４・７Ｈ２Ｏ（硫酸亜鉛７水和物、純正化学株式会社製）。【０１３６】
＜（Ｅ）成分＞
Ｅ−１：グリセリン、坂本薬品工業株式会社製、「化粧品用グリセリン」。
Ｅ−２：ジグリセリン、坂本薬品工業株式会社製、「ジグリセリンＳ」。
Ｅ−３：ＰＥＧ１００、ライオン株式会社製、商品名「ＰＥＧ＃１００」。
Ｅ−４：ＰＥＧ３００、ライオン株式会社製、商品名「ＰＥＧ＃３００」。
Ｅ−５：ＰＥＧ６００、ライオン株式会社製、商品名「ＰＥＧ＃６００」。
＜（Ｅ’）成分：（Ｅ）成分の比較品＞
Ｅ’−１：プロピレングリコール、ダウ・ケミカル株式会社製、商品名「プロピレングリコール」。
＜（Ｅ’）成分：（Ｅ）成分の比較品＞
Ｅ’−１：プロピレングリコール。【０１３７】
＜（Ｆ）成分＞
Ｆ−１：緑色３号。【０１３８】
＜（Ｇ）成分＞
・Ｇ−１：乳酸、和光純薬工業株式会社製、商品名「ＤＬ−Ｌａｃｔｉｃ  ａｃｉｄ」。
・Ｇ−２：サリチル酸：和光純薬工業株式会社製、商品名「Ｓａｌｉｃｙｌｉｃ  ａｃｉｄ」。
・Ｇ−３：クエン酸無水物：扶桑化学工業株式会社製、商品名「クエン酸（無水）」。
・Ｇ−４：安息香酸、シグマアルドリッチ社製、商品名「Ｂｅｎｚｏｉｃ  ａｃｉｄ」。
・Ｇ−５：ｐ−トルエンスルホン酸一水和物、東京化成工業株式会社製、商品名「ｐ−Ｔｏｌｕｅｎｅｓｕｌｆｏｎｉｃ  ａｃｉｄ  ｍｏｎｏｈｙｄｒａｔｅ」。【０１３９】
＜任意成分＞
・ハイドロトロープ剤：エタノール（関東化学株式会社製）。
・ｐＨ調整剤、水酸化ナトリウム（関東化学株式会社製）又は硫酸（関東化学株式会社製）。
水：イオン交換水。【０１４０】
＜実施例１Ａ〜２０Ａ、比較例１Ａ〜６Ａ＞
表１Ａ〜２Ａに示す組成に従い、実施例１Ａ〜２０Ａ、比較例５Ａ，６Ａの液体洗浄剤１０００ｇを下記のように調製した。
１Ｌビーカーに（Ａ）成分とイオン交換水３００ｇを入れ、スリーワンモーター（新東科学製、製品名：ＦＢＬ６００）で充分に撹拌した。次いで、前記１Ｌビーカーに（Ｂ）成分、（Ｃ）成分及び任意成分を入れ、充分に撹拌した。２５℃でのｐＨが４．７になるように、ｐＨ調整剤を適量添加した後、全体量が１００質量％になるようにイオン交換水を入れ、均一になるまで撹拌し液体洗浄剤を得た。
なお、上記ｐＨは、液体洗浄剤を２５℃に調温し、ガラス電極式ｐＨメーター（東亜ディーケーケー株式会社製、製品名：ＨＭ−３０Ｇ）を用い、前記ｐＨメーターのガラス電極を液体洗浄剤に直接浸漬し、１分間経過後に測定された値である。
また、（Ａ）〜（Ｃ）成分のいずれかを加えなかったこと以外は上記と同様にして、比較例１Ａ〜３Ａの液体洗浄剤を得た。Ａ−１を添加しなかったこと以外は上記と同様にして比較例４Ａの液体洗浄剤を得た。
表１Ａ〜２Ａに、得られた各例の液体洗浄剤の組成（配合成分、含有量（質量％））を示す。
表中、空欄の配合成分がある場合、その配合成分は配合されていない。
表中、配合成分の含有量は純分換算量を示す。
ｐＨ調整剤の含有量を示す「適量」は、液体洗浄剤のｐＨを４．７にするのに要した量である。
イオン交換水の含有量を示す「バランス」は、液体洗浄剤に含まれる全配合成分の合計の配合量（質量％）が１００質量％となるように加えられる残部を意味する。【０１４１】
各例の液体洗浄剤について、洗浄力及び希釈分散性を下記のように評価した。評価結果を表１Ａ〜２Ａに示す。
なお、下記洗浄力評価１は、各例の液体洗浄剤を水に添加した後、液体洗浄剤を充分に分散させて調製した洗浄液を用いて洗浄試験を行った際の評価である。下記洗浄力評価２は、各例の液体洗浄剤を水に添加した後、所定の操作を行って調製した洗浄液を用いて洗浄試験を行った際の評価である。【０１４２】
［洗浄力評価１］
＜モデル皿の調製＞
市販のオリーブオイル（味の素株式会社製、商品名：オリーブオイル  エクストラバージン）０．５ｇをポリプロピレン製の直径２５ｃｍの皿に均一に塗布したものをモデル皿とした。
＜洗浄液の調製＞
直径２０ｃｍ、深さ１０ｃｍのプラスチック製のボウルに２５℃の水道水を１Ｌ加えた。各例の液体洗浄剤を前記ボウルの中央部に１０ｇ滴下した。次いでスポンジ（住友３Ｍ社製、商品名：スコッチブライト）をボウル内に浸して、目視で確認しながら液体洗浄剤が完全に分散するまで充分に撹拌して洗浄液を調製した。
＜洗浄方法＞
上記洗浄液が染み込んだスポンジをボウルから取り出し、上記モデル皿の上で５回揉んだのち、前記スポンジでモデル皿を１０回擦った。その後、水道水ですすいだ。すすぎ後のモデル皿を１時間風乾させたのち、下記評価基準に従って、各例の液体洗浄剤の洗浄力を評価した（５段階評価）。下記評価基準において、◎◎、◎、○を合格とした。
（評価基準）
◎◎：オリーブオイルの汚れ残りが目視では確認されず、指で皿を擦った際にベタついていない。
◎：オリーブオイルの汚れ残りが目視では確認されず、指で皿を擦った際に僅かにベタつく。
○：オリーブオイルの汚れ残りは目視では確認できないが、指で皿を擦った際にややベタつく。
△：オリーブオイルの汚れ残りが目視で僅かに確認され、指で皿を擦った際にややベタつく。
×：オリーブオイルの汚れ残りが目視でかなり確認され、指で皿を擦った際にかなりベタつく。【０１４３】
［洗浄力評価２］
洗浄液の調製を下記のように行ったこと以外は、［洗浄力評価１］と同様にして、洗浄力を評価した。
＜洗浄液の調製＞
直径２０ｃｍ、深さ１０ｃｍのプラスチック製のボウルに２５℃の水道水を１Ｌ加えた。各例の液体洗浄剤を前記ボウルの中央部に１０ｇ滴下した。次いでスポンジ（住友３Ｍ社製、商品名：スコッチブライト）をボウル内に浸して、ボウルの内壁に触れないように、スポンジを１秒間に１回揉みながら、１秒間に１回の撹拌速度で５回撹拌して洗浄液を調製した。
なお、液体洗浄剤の希釈分散性が不充分であると、上記のように洗浄液を調製した際に、液体洗浄剤がボウルの底面等で溶け残り、洗浄液中の洗浄剤の濃度が充分に高められない。その結果、液体洗浄剤が本来発揮できる洗浄力（即ち、洗浄力評価１における洗浄力）が発揮されない。【０１４４】
［希釈分散性の評価］
１００ｍＬビーカーに水道水を１００ｍＬ入れ、その中に撹拌子（アズワン社製８φ×２５ｍｍ）を１つ入れた。次いで、前記ビーカーの中央部に、各例の液体洗浄剤をポリスポイトを用いて１．０ｇ秤量しながら添加した。添加終了後、直ちに３００ｒｐｍの回転速度で撹拌を開始した。撹拌を開始してから溶け残りが完全に無くなるまでの時間をストップウォッチで測定し、下記評価基準に従って、各例の液体洗浄剤の希釈分散性を評価した。
なお、各例の液体洗浄剤の溶け残りの有無は目視にて確認した。また、評価試験に用いる水道水及び液体洗浄剤は、液温が２５℃となるように調整した。下記評価基準において、◎◎、◎、○、を合格とした。
（評価基準）
◎◎：３０秒未満。
◎：３０秒以上１分未満。
○：１分以上１分３０秒未満。
△：１分３０秒以上２分未満。
×  ：２分以上。【０１４５】
【表１Ａ】
2017069017.tif 000008
【０１４６】
【表２Ａ】
2017069017.tif 000009
【０１４７】
表１Ａ〜２Ａに示す結果から、本発明の第一の態様を適用した実施例１Ａ〜２０Ａの液体洗浄剤は、洗浄力が高く、かつ希釈分散性に優れることが確認できた。
一方、（Ａ）成分を含まない液体洗浄剤（比較例１Ａ）、Ａ／Ｃ比が０．５未満の液体洗浄剤（比較例５Ａ）、（Ａ＋Ｃ）合計含有量が１０質量％超の液体洗浄剤（比較例６Ａ）は、希釈分散性が充分でなかった。また、洗浄力評価２における洗浄力が充分でなかった。（Ｂ）成分を含まない液体洗浄剤（比較例２Ａ）は、洗浄力が充分でなかった。（Ｃ）成分を含まない液体洗浄剤（比較例３Ａ）は、洗浄力及び希釈分散性が充分でなかった。（ａ２）成分を含まない液体洗浄剤（比較例４Ａ）は、洗浄力が充分でなかった。
以上の結果から、本発明の第一の態様を適用した液体洗浄剤は、洗浄力に優れ、かつ、希釈分散性に優れることが確認できた。【０１４８】
＜実施例１Ｂ〜１５Ｂ、比較例１Ｂ〜８Ｂ＞
表１Ｂ〜２Ｂに示す組成に従い、実施例１Ｂ〜１５Ｂ、比較例６Ｂ〜８Ｂの液体洗浄剤１０００ｇを下記のように調製した。
１Ｌビーカーに（Ａ）成分とイオン交換水３００ｇを入れ、スリーワンモーター（新東科学製、製品名：ＦＢＬ６００）で充分に撹拌した。次いで、前記１Ｌビーカーに（Ｂ）〜（Ｄ）成分及び任意成分を入れ、充分に撹拌した。２５℃でのｐＨが５．０になるように、ｐＨ調整剤を適量添加した後、全体量が１００質量％になるようにイオン交換水を入れ、均一になるまで撹拌し液体洗浄剤を得た。
なお、上記ｐＨは、液体洗浄剤を２５℃に調温し、ガラス電極式ｐＨメーター（東亜ディーケーケー株式会社製、製品名：ＨＭ−３０Ｇ）を用い、前記ｐＨメーターのガラス電極を液体洗浄剤に直接浸漬し、１分間経過後に測定された値である。
また、（Ａ）〜（Ｄ）成分のいずれかを加えなかったこと以外は上記と同様にして、比較例１Ｂ〜４Ｂの液体洗浄剤を得た。（Ａ−１）成分を添加しなかったこと以外は上記と同様にして比較例５Ｂの液体洗浄剤を得た。
表１Ｂ〜２Ｂに、得られた各例の液体洗浄剤の組成（配合成分、含有量（質量％））を示す。
表中、空欄の配合成分がある場合、その配合成分は配合されていない。
表中、配合成分の含有量は純分換算量を示す。また、（Ｄ）成分の含有量は、無水物換算の含有量である。
ｐＨ調整剤の含有量を示す「適量」は、液体洗浄剤のｐＨを表中の値にするのに要した量である。
イオン交換水の含有量を示す「バランス」は、液体洗浄剤に含まれる全配合成分の合計の配合量（質量％）が１００質量％となるように加えられる残部を意味する。
表中、比較例５Ｂの（Ａ＋Ｂ＋Ｃ）合計含有量、Ａ／Ｃ比は、それぞれ（Ａ−２）成分、（Ｂ）成分及び（Ｃ）成分の合計含有量、（Ａ−２）成分／（Ｃ）成分の比を示す。【０１４９】
各例の液体洗浄剤の２５℃における粘度を上述の方法により測定した。測定結果を表１Ｂ〜２Ｂに示す。
また、各例の液体洗浄剤について、洗浄力及び希釈分散性を下記のように評価した。評価結果を表１Ｂ〜２Ｂに示す。
なお、下記洗浄力評価１は、各例の液体洗浄剤を水に添加した後、液体洗浄剤を充分に分散させて調製した洗浄液を用いて洗浄試験を行った際の評価である。下記洗浄力評価２は、各例の液体洗浄剤を水に添加した後、所定の操作を行って調製した洗浄液を用いて洗浄試験を行った際の評価である。【０１５０】
［洗浄力評価１］
上記［洗浄力評価１］と同様に評価した。【０１５１】
［洗浄力評価２］
上記［洗浄力評価２］と同様に評価した。【０１５２】
［希釈分散性の評価］
上記［希釈分散性の評価］と同様に評価した。【０１５３】
【表１Ｂ】
2017069017.tif 000010
【０１５４】
【表２Ｂ】
2017069017.tif 000011
【０１５５】
表１Ｂ〜２Ｂに示す結果から、本発明の第二の態様を適用した実施例１Ｂ〜１５Ｂの液体洗浄剤は、洗浄力及び希釈分散性に優れ、かつ  １０００ｍＰａ・ｓ以上の粘度を有することが確認できた。
一方、（Ａ）成分を含まない液体洗浄剤（比較例１Ｂ）は、希釈分散性が充分でなかった。また、洗浄力評価２における洗浄力が充分でなかった。（Ｂ）成分を含まず、（Ａ＋Ｂ＋Ｃ）合計含有量が本発明の範囲未満である液体洗浄剤（比較例２Ｂ）は、洗浄力が充分でなかった。（Ｃ）成分を含まない液体洗浄剤（比較例３Ｂ）は、希釈分散性が充分でなかった。また、洗浄力評価２における洗浄力が充分でなかった。さらに粘度が充分に高められなかった。（Ｄ）成分を含まない液体洗浄剤（比較例４Ｂ）は、粘度が充分に高められなかった。（ａ２）成分を含まない液体洗浄剤（比較例５Ｂ）は、洗浄力が充分に高められなかった。また、粘度が充分に高められなかった。ｐＨが本発明の範囲未満の液体洗浄剤（比較例６Ｂ）は、希釈分散性が充分でなかった。ｐＨが本発明の範囲超の液体洗浄剤（比較例７）は、粘度が充分に高められなかった。（Ａ＋Ｂ＋Ｃ）合計含有量が本発明の範囲未満である液体洗浄剤（比較例８Ｂ）は、洗浄力が充分でなかった。また、粘度が充分に高められなかった。
以上の結果から、本発明の第二の態様を適用することで、洗浄力及び希釈分散性に優れ、かつ、粘度が高められた液体洗浄剤が得られることが確認できた。【０１５６】
（評価方法）
＜染色試験１＞洗浄対象物への着色の抑制評価
縦１０ｃｍ×横１５ｃｍ×高さ５ｃｍのプラスチック製の密閉容器（商品名：ネオキーパー、岩崎工業株式会社製）の内面を縦１１．５ｃｍ×横７．５ｃｍ×高さ３ｃｍの食器洗い用スポンジ（商品名：スコッチブライト、住友スリーエム株式会社製)の研磨面で５往復こすり、評価容器とした。評価容器の研磨した面に各例の液体洗浄剤５ｇをスポイトで垂らし、３０分放置した。その後、評価容器に水３００ｍＬを注ぎ入れ、評価容器を５回揺らして、水と液体洗浄剤とを混合した後、内容物を捨て、室温で２４時間放置した。
放置後の評価容器について、下記評価基準に従って着色具合を評価した（４段階評価）。評価が「○」又は「◎」であった場合、着色が良好に抑制されていると判断できる。
≪評価基準≫
◎：２４時間放置後、水ですすぐと、染色が見られない。
○：２４時間放置後、洗浄剤組成物とスポンジで洗うと、染色が見られない。
△：２４時間放置後、洗浄剤組成物とスポンジで洗っても、わずかに染色が見られる。
×：２４時間放置後、洗浄剤組成物とスポンジで洗っても、はっきり染色が見られる。【０１５７】
＜染色試験２＞シンクへの着色の抑制評価
縦３ｃｍ×横３ｃｍ×高さ０．１ｃｍのＳＵＳ３０４製のステンレス板にスポイトで水道水を１滴垂らし、６０℃恒温槽に１時間静置して乾固させた。この操作を１０回繰り返して、評価板とした。評価板に各例の液体洗浄剤５ｇをスポイトで垂らし、室温で２４時間放置した。
２４時間放置後の評価板について、下記評価基準に従って着色具合を評価した（４段階評価）。
≪評価基準≫
◎：２４時間放置後、水ですすぐと、染色が見られない。
○：２４時間放置後、洗浄剤組成物とスポンジで洗うと、染色が見られない。
△：２４時間放置後、洗浄剤組成物とスポンジで洗っても、わずかに染色が見られる。
×：２４時間放置後、洗浄剤組成物とスポンジで洗っても、はっきり染色が見られる。【０１５８】
（実施例１Ｃ〜２９Ｃ、比較例１Ｃ〜６Ｃ）
表１Ｃ〜３Ｃの組成に従い、１Ｌビーカーに（Ａ）成分と水３００ｇを入れ、スリーワンモータ（製品名：ＦＢＬ６００、新東科学株式会社製）で攪拌した。次いで、（Ｂ）成分と（Ｃ）成分と（Ｄ）成分と（Ｅ）成分（又は（Ｅ’）成分）及び任意成分を加え、混合した。その後、（Ｆ）成分を加え、攪拌した。２５℃でのｐＨが３〜６になるように、必要に応じｐＨ調整剤を適量添加した後、全体量が１００質量％になるように蒸留水を入れ、攪拌して各例の液体洗浄剤を得た。
ｐＨの測定には、ガラス電極式ｐＨメーター（製品名：ＨＭ−３０Ｇ、東亜ディーケーケー（株）製）を用いた。２５℃に調温した組成物にｐＨメーターのガラス電極を浸漬し、１分間経過後に示すｐＨを測定した。
なお、表中の配合量は純分換算値である。また、表中に配合量が記載されていない成分は、配合されていない。イオン交換水の含有量を示す「バランス」は、液体洗浄剤に含まれる全配合成分の合計の含有量（質量％）が１００質量％となるように加えられる残部を意味する。
各例の液体洗浄剤について、染色試験１及び２、粘度を評価し、その結果を表中に示す。【０１５９】
【表１Ｃ】
2017069017.tif 000012
【０１６０】
【表２Ｃ】
2017069017.tif 000013
【０１６１】
【表３Ｃ】
2017069017.tif 000014
【０１６２】
【表４Ｃ】
2017069017.tif 000015
【０１６３】
表１Ｃ〜３Ｃに示すように、実施例１Ｃ〜２９Ｃは、いずれも粘度が１０００ｍＰａ・ｓ以上でありながら、染色試験１及び２の評価が「○」又は「◎」であった。
（Ａ）〜（Ｅ）成分のいずれかを欠く比較例１Ｃ〜６Ｃは、染色試験１及び２の評価が「×」又は「△」であった。
これらの結果から、本発明の第三の態様を適用することで、洗浄対象物等への着色を良好に抑制できることが確認された。【０１６４】
＜実施例１Ｄ〜２０Ｄ、比較例１Ｄ〜１０Ｄ＞
表に示す組成の液体洗浄剤１０００ｇを下記の手順で調製した。
１Ｌビーカーに（Ａ）成分とイオン交換水３００ｇを入れ、スリーワンモータ（製品名：ＦＢＬ６００、新東科学製）で（Ａ）成分が溶解するまで攪拌した。続いて、（Ｂ）成分、（Ｃ）成分、（Ｄ）成分、エタノールを入れ、各成分が完全に溶解するまで攪拌した。２５℃でのｐＨが４．５になるように、ｐＨ調整剤を適量添加した後、全体量が１００質量％になるようにイオン交換水を入れ、均一になるまで撹拌し液体洗浄剤を得た。
上記ｐＨは、２５℃に調温し、ガラス電極式ｐＨメーター（製品名：ＨＭ−３０Ｇ、東亜ディーケーケー株式会社製）を用い、ガラス電極を液体洗浄剤に直接に浸漬し、１分間経過後に測定された値である。
また、（Ａ）〜（Ｄ）成分のいずれかを加えなかったこと以外は上記と同様にして、比較例１Ｄ、及び３Ｄ〜５Ｄの液体洗浄剤を得た。
表１Ｄ〜３Ｄに、得られた各例の液体洗浄剤の組成（配合成分、含有量（質量％））を示す。
表中、空欄の配合成分がある場合、その配合成分は配合されていない。
表中、配合成分の含有量は純分換算量を示す。
イオン交換水の含有量を示す「バランス」は、液体洗浄剤に含まれる全配合成分の合計の配合量（質量％）が１００質量％となるように加えられる残部を意味する。【０１６５】
各例の液体洗浄剤について、粘度、洗浄力、水分散性、除菌活性を下記のように評価した。評価結果を表１Ｄ〜３Ｄに示す。
なお、下記洗浄力評価１は、各例の液体洗浄剤を水に添加した後、所定の操作を行って調製した洗浄液を用いて洗浄試験を行った際の評価である。下記洗浄力評価２は、各例の液体洗浄剤を水に添加した後、液体洗浄剤を充分に分散させて調製した洗浄液を用いて洗浄試験を行った際の評価である。【０１６６】
［粘度の測定］
芝浦セムテック社製粘度測定装置を用いて、３番ローター（４０００ｍＰａ・ｓ未満の場合）又は４番ローター（粘度４０００ｍＰａ・ｓ以上の場合）を用いて３０ｒｐｍの速度で３０秒回転させた時の粘度を測定した。なお、各組成物は２５℃になるように２時間以上恒温槽で保存したものを用いて測定した。【０１６７】
［洗浄力評価１］
＜モデル皿の調製＞
オリーブオイル市販品（商品名：オリーブオイル  エクストラバージン、味の素株式会社）０．５ｇをポリプロピレン製の直径２５ｃｍの丸皿に均一に塗布したものをモデル皿とした。
＜洗浄液の調製＞
直径２０ｃｍ、深さ１０ｃｍのプラスチック製のボウルに２５℃の水道水を１Ｌ入れ、各例の組成物をボウル中央部に１０ｇ滴下した。次いでスポンジ（商品名：スコッチブライト、住友３Ｍ社製）をボウル内に浸して、スポンジを１秒間に１回揉みながら、ボウル中央部で１秒間に１回ずつ計５回撹拌した。
＜洗浄方法＞
洗浄液が染み込んだスポンジをボウルから取り出し、上記モデル皿の上で５回揉んだのち、そのモデル皿を１０回擦った。その後、水道水ですすいだ。すすぎ後の皿を１時間風乾させたのち、下記評価基準に従って、汚れ落ち具合を評価した（５段階評価）。下記評価基準において、○〜◎を合格とした。
（評価基準）
◎◎：オリーブオイルの汚れ残りが目視では確認されず、指で皿を擦った際にベタついていない。
◎：オリーブオイルの汚れ残りが目視では確認されず、指で皿を擦った際に僅かにベタつく。
○：オリーブオイルの汚れ残りは目視では確認できないが、指で皿を擦った際にややベタつく。
△：オリーブオイルの汚れ残りが目視で僅かに確認され、指で皿を擦った際にややベタつく。
×：オリーブオイルの汚れ残りが目視でかなり確認され、指で皿を擦った際にかなりベタつく。【０１６８】
［洗浄力評価２］
洗浄液の調製を下記のように行ったこと以外は［洗浄力評価１］と同様にして、洗浄力を評価した。
＜洗浄液の調製＞
直径２０ｃｍ、深さ１０ｃｍのプラスチック製のボウルに２５℃の水道水を１Ｌ加えた。各例の液体洗浄剤をそのビーカー中央部に１０ｇ滴下した。次いでスポンジ（商品名：スコッチブライト、住友３Ｍ社製）をボウル内に浸して、組成物が完全に溶解するまで目視で確認しながら十分に撹拌した。【０１６９】
［水分散性の評価］
１００ｍＬビーカーに水道水を１００ｍＬを入れ、その中に撹拌子（アズワン社製  ８φ×２５ｍｍ）を１つ入れた。次いで、前記ビーカーの中央部に各例の液体洗浄剤を、ポリスポイトを用いて１．０ｇ秤量しながら添加した。添加終了後、直ちに５００ｒｐｍの回転速度で撹拌を開始した。撹拌を開始してから溶け残りが無くなるまでの時間をストップウォッチにて測定し、下記評価基準に従って、各例の液体洗浄剤の水分散性を評価した。
なお、各例の液体洗浄剤の溶け残りの有無は目視にて確認した。また、評価試験に用いる水道水及び液体洗浄剤は、液温が２５℃となるように調整した。下記評価基準において、○〜◎を合格とした。
（評価基準）
◎：３０秒未満。
○：３０秒以上１分未満。
△：１分以上１分３０秒未満。
×：１分３０秒以上。【０１７０】
［除菌活性の評価］
日水製薬製トリプトソーヤ平板培地上３７±１℃で２０時間培養した大腸菌（Ｅｓｃｈｅｒｉｃｈｉａ  Ｃｏｌｉ）を用い、Ｄｉｆｃｏ  Ｌａｂｏｒａｔｏｒｉｅｓ製０．３％ニュートリエント液体培地を含む滅菌３°ＤＨ硬水中で、菌濃度が３．５×１０７〜３．５×１０８ｃｆｕ／ｍｌになるように試験菌液を調製した。次に、容量１１０ｍｌのねじ口瓶に、直径２．４ｃｍ、高さ３ｃｍの円柱状に加工したウレタンスポンジを入れた。次いで、０．５ｍｌの上記菌液をスポンジに接種し、直径２ｃｍ高さ１５ｃｍのパイレックス（登録商標）滅菌ガラス棒を用いて２０回以上スポンジを揉み込み、菌液をスポンジに均一に広げた。瓶を密閉後２５℃恒温槽内で１時間放置し、スポンジに菌液を馴染ませた。次いで、各例の液体洗浄剤並びに対照としてｔｗｅｅｎ８０の０．０５質量％水溶液をそれぞれ０．５ｍｌずつ各スポンジに滴下した。次に新しい滅菌ガラス棒で１００回以上スポンジを揉み込み、組成物又は水溶液をスポンジに均一に広げた。
次いで再び瓶を密閉し、２５℃で１８時間放置した。放置後、ねじ口瓶に２０ｍｌの中和剤（日本製薬製ＳＣＤＬＰ液体培地）を添加し、滅菌ガラス棒で２０回以上スポンジを揉み込み、中和剤をスポンジに均一に広げた。この後スポンジから抽出される液を用いて希釈系列を作成し、トリプトソーヤ寒天培地を用いた平板塗沫法により、３７℃±１℃で４０〜４８時間培養し、各例の組成物並びに対照のコロニー数をそれぞれ測定した。尚、除菌活性値は、対照の生菌数（ＣＦＵ／ｍｌ）の対数値から上記試験後の生菌数の常用対数値を減ずることにより求めた。【０１７１】
【表１Ｄ】
2017069017.tif 000016
【０１７２】
【表２Ｄ】
2017069017.tif 000017
【０１７３】
【表３Ｄ】
2017069017.tif 000018
【０１７４】
表１Ｄ〜３Ｄに示す結果から、本発明の第四の態様を適用した実施例１Ｄ〜２０Ｄの液体洗浄剤は、洗浄力、水分散性、除菌活性に優れ、かつ、１０００ｍＰａ・ｓ以上の粘度を有することが確認できた。
一方、（Ａ）成分を含まない比較例１Ｄの液体洗浄剤は、水分散性に劣るものであった。また、粘度が低いものであった。
（Ａ２）成分の含有量が（Ａ）成分の総質量に対し３０質量％未満である比較例２Ｄの液体洗浄剤は、水分散性に劣るものであった。また、粘度が低いものであった。
（Ｂ）成分を含まない比較例３Ｄの液体洗浄剤は、洗浄力に劣るものであった。また、粘度が低いものであった。
（Ｃ）成分を含まない比較例４Ｄの液体洗浄剤は、水分散性に劣るものであった。また、粘度が低いものであった。
（Ｇ）成分を含まない比較例５Ｄの液体洗浄剤は、除菌活性に劣るものであった。また、粘度が低いものであった。
ｐＨが３．０未満の比較例６Ｄの液体洗浄剤は、水分散性に劣るものであった。また、粘度が低いものであった。
（Ｇ）成分の含有量が７．０質量％超の比較例７Ｄの液体洗浄剤は、洗浄力に劣るものであった。また、粘度が低いものであった。
（Ｇ）成分の代わりにｐ−トルエンスルホン酸を使用した比較例８Ｄの液体洗浄剤は、除菌活性に劣るものであった。また、粘度が低いものであった。
ｐＨが５．５超の比較例９Ｄの液体洗浄剤は、除菌力に劣るものであった。
（Ｇ）成分の含有量が０．５質量％未満の比較例１０Ｄの液体洗浄剤は、粘度が低く、除菌力に劣るものであったであった。
以上の結果から、本発明の第四の態様を適用することで、高粘度でありながら水分散性に優れ、洗浄力、及び除菌活性にも優れる液体洗浄剤が得られることが確認できた。
【産業上の利用可能性】
【０１７５】
本発明の第一の態様によれば、洗浄力に優れ、かつ、希釈分散性に優れる液体洗浄剤を提供できる。
本発明の第二の態様によれば、洗浄力及び希釈分散性に優れ、かつ、粘度が高められた液体洗浄剤を提供できる。
本発明の第三の態様によれば、粘度を高めても、洗浄対象物等が着色されにくい液体洗浄剤を提供できる。
本発明の第四の態様によれば、高粘度でありながら水分散性に優れ、洗浄力、及び除菌活性にも優れる液体洗浄剤を提供できる。
【国際調査報告】
2017069017.tif 000019
2017069017.tif 000020
2017069017.tif 000021
2017069017.tif 000022